(57)【要約】      （修正有）【課題】対象者を覚醒に導くことが可能な空調制御装置および空気調和装置を提供する。【解決手段】室内を空調する空気調和装置を制御するコントローラ７０であって、通常制御モードから覚醒制御モードを開始させるための所定開始条件を満たしているか否かを判断し、ユーザの現状の温熱環境評価指数（ＰＭＶ）を算出し、ユーザのＰＭＶが現状よりも不快である値に変化させるように、空気調和装置を制御するモード制御部７３を備えている。【選択図】図２
2020041731.tif 000002
【特許請求の範囲】
【請求項１】
対象空間の空気環境を変化させることが可能な空気調和手段（１００）を制御する空調制御装置（７０）であって、
対象者の快適性に関連する所定の快適性関係値を把握するための第１情報把握部（８２、８３、８４、５１ａ、５１ｂ、９２、９１）と、
前記第１情報把握部により把握される前記快適性関係値に基づいて所定の不快条件を満たすように前記空気調和手段を制御する制御部（７３）と、
を備えた空調制御装置。
【請求項２】
前記快適性関係値は、少なくとも前記対象空間における温度と湿度とから把握される、
請求項１に記載の空調制御装置。
【請求項３】
前記快適性関係値は、ＰＭＶ（温熱環境評価指数）であり、
前記制御部は、前記第１情報把握部により把握される前記対象者の前記ＰＭＶの絶対値を現状よりも増大させるように、前記空気調和手段を制御する、
請求項２に記載の空調制御装置。
【請求項４】
前記制御部は、前記第１情報把握部により把握される前記対象者の前記ＰＭＶの絶対値を現状よりも１以上増大させるように、前記空気調和手段を制御する、
請求項３に記載の空調制御装置。
【請求項５】
前記制御部は、前記第１情報把握部により把握される前記対象者の前記ＰＭＶの絶対値を現状よりも２以上増大させる制御を４分以上継続させるように、前記空気調和手段を制御する、
請求項４に記載の空調制御装置。
【請求項６】
前記制御部は、前記第１情報把握部により把握される前記快適性関係値に基づいた制御を少なくとも１分以上継続させる、
請求項１から４のいずれか１項に記載の空調制御装置。
【請求項７】
前記制御部は、前記第１情報把握部により把握される前記快適性関係値に基づいた制御の継続時間を３０分以下とする、
請求項１から６のいずれか１項に記載の空調制御装置。
【請求項８】
前記制御部は、前記対象空間の設定温度条件が満たされるように前記空気調和手段を制御する通常制御を実行可能であり、
前記制御部は、前記通常制御が実行されている際に所定開始条件を満たした場合に、前記第１情報把握部により把握される前記快適性関係値に基づいた制御を開始させる、
請求項１から７のいずれか１項に記載の空調制御装置。
【請求項９】
前記所定開始条件は、予め定められた時刻の条件である、
請求項８に記載の空調制御装置。
【請求項１０】
前記対象者の心身状態情報又は生体状態情報を把握するための第２情報把握部（７３）をさらに備え、
前記制御部は、前記第１情報把握部により把握される前記快適性関係値に基づいた制御を行うことにより、前記第２情報把握部により把握される前記対象者の覚醒度を高めるように、前記空気調和手段を制御する、
請求項１から９のいずれか１項に記載の空調制御装置。
【請求項１１】
前記対象者の心身状態情報又は生体状態情報を把握するための第２情報把握部（７３）をさらに備え、
前記所定開始条件は、前記第２情報把握部により把握される前記対象者の覚醒度が所定値以下になっているという条件である、
請求項８に記載の空調制御装置。
【請求項１２】
請求項１から１１のいずれか１項に記載の空調制御装置（７０）を備えた、
空気調和装置（１００）。
【発明の詳細な説明】
【技術分野】
【０００１】
技術分野は、空調制御装置および空気調和装置に関する分野である。
【背景技術】
【０００２】
従来より、作業者の作業効率を高めるために、作業者の存在する空間における環境を改善させることが求められている。
【０００３】
例えば、特許文献１（特開平１０−２５９９４３号公報）に記載の空調調和機の制御装置では、対象者の覚醒度を把握しつつ、居眠り状態等の覚醒度の低下した状態から覚醒度の高い状態へ移行させるための空気調和動作を実行することで、室内の人間の作業能率を高く保つことを提案している。
【発明の概要】
【発明が解決しようとする課題】
【０００４】
ここで、上記特許文献１に記載の空気調和機の制御装置では、対象者に不快感を与えない範囲で、設定温度、風量、風向を変化させることにより、対象者の覚醒度を高めることのみを開示しているが、覚醒度を高める新たな手法が望まれる。
【０００５】
本開示の課題は、上述した点に鑑みてなされたものであり、対象者を覚醒に導くことが可能な空調制御装置および空気調和装置を提供することにある。
【課題を解決するための手段】
【０００６】
第１観点に係る空調制御装置は、対象空間の空気環境を変化させることが可能な空気調和手段を制御する空調制御装置であって、第１情報把握部と、制御部と、を備えている。第１情報把握部は、対象者の快適性に関連する所定の快適性関係値を把握するためのものである。制御部は、第１情報把握部により把握される快適性関係値に基づいて所定の不快条件を満たすように空気調和手段を制御する。
【０００７】
ここで、空気調和手段としては、特に限定されないが、例えば、対象空間の温度、湿度、風速の少なくともいずれかを変化させるものであってもよい。
【０００８】
また、快適性関係値としては、特に限定されず、ヒトの快適性を表す値、ヒトの快適性に影響を与える環境物理量、当該環境物理量に相関する物理量等が含まれる。このような快適性関係値は、例えば、対象者のＰＭＶ（温熱環境評価指数）の値であってもよいし、対象者の不快指数であってもよいし、空気調和手段が設定温度を目標値として制御されるものである場合には対象空間の温度の設定温度からの乖離度合いであってもよいし、対象者が存在する空間の温度、湿度、輻射、対象者付近の風速であってもよく、これらのいずれか１つまたは組み合わせにより得られる値であってもよい。
【０００９】
また、「快適性関係値に基づいて所定の不快条件を満たすように・・・制御する」とは、特に限定されず、例えば、快適性関係値が現状値よりも対象者が不快に感じるであろうと予測される所定の範囲になるように制御することであってもよいし、快適性関係値が現状値よりも対象者が不快に感じる方向に推移することとなるように制御することであってもよい。例えば、快適性関係値が対象者の不快指数である場合には当該不快指数の不快度合いがより増すように制御してもよいし、快適性関係値が対象者のＰＭＶである場合には当該ＰＭＶの絶対値がより増すように制御してもよいし、快適性関係値が対象者が存在する空間の温度である場合には所定の不快温度条件を満たすように制御してもよい。
【００１０】
この空調制御装置では、対象者の快適性関係値に基づいて所定の不快条件を満たすように空気調和手段を制御するという従来に無い新たな手法により対象者の覚醒度を高めることが可能になる。
【００１１】
第２観点に係る空調制御装置は、第１観点に係る空調制御装置であって、快適性関係値は、少なくとも対象空間における温度と湿度とから把握される。
【００１２】
この空調制御装置では、対象者の快適性をより確実に悪化させることが可能になる。
【００１３】
第３観点に係る空調制御装置は、第２観点に係る空調制御装置であって、快適性関係値は、ＰＭＶ（温熱環境評価指数）である。制御部は、第１情報把握部により把握される対象者のＰＭＶの絶対値を現状よりも増大させるように、空気調和手段を制御する。
【００１４】
この空調制御装置では、対象者の快適性をさらに確実に悪化させることが可能になる。
【００１５】
第４観点に係る空調制御装置は、第３観点に係る空調制御装置であって、制御部は、第１情報把握部により把握される対象者のＰＭＶの絶対値を現状よりも１以上増大させるように、空気調和手段を制御する。
【００１６】
この空調制御装置では、対象者の快適性を十分に悪化させることで、より確実に覚醒度を高めることが可能になる。
【００１７】
第５観点に係る空調制御装置は、第４観点に係る空調制御装置であって、制御部は、第１情報把握部により把握される対象者のＰＭＶの絶対値を現状よりも２以上増大させる制御を４分以上継続させるように、空気調和手段を制御する。
【００１８】
この空調制御装置では、対象者の覚醒度を有意に高めることが可能になる。
【００１９】
第６観点に係る空調制御装置は、第１観点から第４観点のいずれかに係る空調制御装置であって、制御部は、第１情報把握部により把握される快適性関係値に基づいた制御を少なくとも１分以上継続させる。
【００２０】
この空調制御装置では、対象者の快適性を十分な時間だけ悪化させることで、より確実に覚醒度を高めることが可能になる。
【００２１】
第７観点に係る空調制御装置は、第１観点から第６観点のいずれかに係る空調制御装置であって、制御部は、第１情報把握部により把握される快適性関係値に基づいた制御の継続時間を３０分以下とする。
【００２２】
この空調制御装置では、対象者を不快にさせる時間が長すぎることによってかえって覚醒度を向上させる効果が低下してしまうことを抑制できる。
【００２３】
第８観点に係る空調制御装置は、第１観点から第７観点のいずれかに係る空調制御装置であって、制御部は、対象空間の設定温度条件が満たされるように空気調和手段を制御する通常制御を実行可能である。制御部は、通常制御が実行されている際に所定開始条件を満たした場合に、第１情報把握部により把握される快適性関係値に基づいた制御を開始させる。
【００２４】
この空調制御装置では、対象者の快適性を悪化させる制御を、常時行わせるのではなく、通常制御の実行中に所定開始条件を満たした場合に限ることが可能になり、対象者の快適性を悪化させる制御が不必要に行われることを抑制することができる。
【００２５】
第９観点に係る空調制御装置は、第８観点に係る空調制御装置であって、所定開始条件は、予め定められた時刻の条件である。
【００２６】
この空調制御装置では、通常制御の実行中において、予め定められた時刻になった場合に限って対象者の快適性を悪化させる制御を開始させることが可能になる。
【００２７】
第１０観点に係る空調制御装置は、第１観点から第９観点のいずれかに係る空調制御装置であって、第２情報制御部をさらに備えている。第２情報制御部は、対象者の心身状態情報又は生体状態情報を把握するためのものである。制御部は、第１情報把握部により把握される快適性関係値に基づいた制御を行うことにより、第２情報把握部により把握される対象者の覚醒度を高めるように、空気調和手段を制御する。
【００２８】
ここで、覚醒度としては、特に限定されないが、例えば、ユーザの心拍の状態に基づいて定まるものであってもよいし、ユーザの表情に基づいて定まるものであってもよいし、ユーザの皮膚の温度に基づいて定まるものであってもよいし、ユーザの呼吸の単位時間当たりの回数に基づいて定まるものであってもよいし、ユーザの脳波に基づいて定まるものであってもよいし、これらの組み合わせに基づいて定まるものであってもよい。
【００２９】
この空調制御装置では、対象者を不快にさせることにより、対象者の覚醒度をより確実に高めることが可能になる。
【００３０】
第１１観点に係る空調制御装置は、第８観点に係る空調制御装置であって、第２情報制御部をさらに備えている。第２情報制御部は、対象者の心身状態情報又は生体状態情報を把握するためのものである。所定開始条件は、第２情報把握部により把握される対象者の覚醒度が所定値以下になっているという条件である。
【００３１】
この空調制御装置では、対象者の覚醒度の低下が確認されたときに対象者を不快にさせることにより、対象者の覚醒度が良好な状態を維持させやすくなる。
【００３２】
第１２観点に係る空気調和装置は、第１観点から第１１観点のいずれかに係る空調制御装置を備えている。
【００３３】
この空気調和装置は、対象者を覚醒に導くことが可能になる。
【図面の簡単な説明】
【００３４】
【図１】空気調和装置の全体構成図。
【図２】空気調和装置のブロック構成図。
【図３】覚醒制御モードの制御フローチャート。
【図４】変形例Ａに係る空気調和装置のブロック構成図。
【図５】変形例Ａに係る覚醒制御モードの制御フローチャート。
【図６】変形例Ｂに係る覚醒制御モードの制御フローチャート。
【図７】変形例Ｃに係る覚醒制御モードの制御フローチャート。
【図８】変形例Ｄに係る覚醒制御モードの制御フローチャート。
【図９】対象者の覚醒度の経時変化を示すグラフ。
【発明を実施するための形態】
【００３５】
以下、図面を参照しながら、一実施形態に係る空調制御装置およびこれが設けられた空気調和装置について説明する。なお、以下の実施形態は、本開示の具体例であって、本開示内容の技術的範囲を限定するものではなく、その要旨を逸脱しない範囲で適宜変更が可能である。
【００３６】
（１）空気調和装置１００
図１は、空気調和装置１００の概略構成図である。空気調和装置１００は、蒸気圧縮式の冷凍サイクルを行うことで、対象空間の空気を調和させる装置である。
【００３７】
空気調和装置１００は、主として、室外ユニット２と、室内ユニット５０と、室外ユニット２と室内ユニット５０を接続する液冷媒連絡管６およびガス冷媒連絡管７と、入力装置および出力装置としての複数のリモコン５０ａと、空気調和装置１００の動作を制御するコントローラ７０と、を有している。
【００３８】
空気調和装置１００では、冷媒回路１０内に封入された冷媒が、圧縮され、冷却又は凝縮され、減圧され、加熱又は蒸発された後に、再び圧縮される、という冷凍サイクルが行われる。
【００３９】
（１−１）室外ユニット２
室外ユニット２は、液冷媒連絡管６およびガス冷媒連絡管７を介して室内ユニット５０と接続されており、冷媒回路１０の一部を構成している。室外ユニット２は、主として、圧縮機２１と、四路切換弁２２と、室外熱交換器２３と、室外膨張弁２４と、室外ファン２５と、液側閉鎖弁２９と、ガス側閉鎖弁３０と、を有している。
【００４０】
また、室外ユニット２は、冷媒回路１０を構成する配管である吐出管３１、吸入管３４、室外ガス側配管３３、室外液側配管３２を有している。吐出管３１は、圧縮機２１の吐出側と四路切換弁２２の第１接続ポートとを接続している。吸入管３４は、圧縮機２１の吸入側と四路切換弁２２の第２続ポートとを接続している。室外ガス側配管３３は、四路切換弁２２の第３ポートとガス側閉鎖弁３０とを接続している。室外液側配管３２は、四路切換弁２２の第４ポートから室外熱交換器２３および室外膨張弁２４を介して液側閉鎖弁２９まで伸びている。
【００４１】
圧縮機２１は、冷凍サイクルにおける低圧の冷媒を高圧になるまで圧縮する機器である。ここでは、圧縮機２１として、ロータリ式やスクロール式等の容積式の圧縮要素（図示省略）が圧縮機モータＭ２１によって回転駆動される密閉式構造の圧縮機が使用されている。圧縮機モータＭ２１は、容量を変化させるためのものであり、インバータにより運転周波数の制御が可能である。
【００４２】
四路切換弁２２は、接続状態を切り換えることで、圧縮機２１の吐出側と室外熱交換器２３とを接続しつつ圧縮機２１の吸入側とガス側閉鎖弁３０とを接続する冷房運転接続状態と、圧縮機２１の吐出側とガス側閉鎖弁３０とを接続しつつ圧縮機２１の吸入側と室外熱交換器２３とを接続する暖房運転接続状態と、を切り換えることができる。
【００４３】
室外熱交換器２３は、冷房運転時には冷凍サイクルにおける高圧の冷媒の放熱器として機能し、暖房運転時には冷凍サイクルにおける低圧の冷媒の蒸発器として機能する熱交換器である。
【００４４】
室外ファン２５は、室外ユニット２内に室外の空気を吸入して、室外熱交換器２３において冷媒と熱交換させた後に、外部に排出するための空気流れを生じさせる。室外ファン２５は、室外ファンモータＭ２５によって回転駆動される。
【００４５】
室外膨張弁２４は、弁開度制御が可能な電動膨張弁であり、室外液側配管３２の途中の室外熱交換器２３と液側閉鎖弁２９との間に設けられている。
【００４６】
液側閉鎖弁２９は、室外液側配管３２と液冷媒連絡管６との接続部分に配置された手動弁である。
【００４７】
ガス側閉鎖弁３０は、室外ガス側配管３３とガス冷媒連絡管７との接続部分に配置された手動弁である。
【００４８】
室外ユニット２には、各種センサが配置されている。具体的には、室外ユニット２の圧縮機２１周辺には、圧縮機２１の吸入側における冷媒の温度である吸入温度センサ３５と、圧縮機２１の吸入側における冷媒の圧力である吸入圧力を検出する吸入圧力センサ３６と、圧縮機２１の吐出側における冷媒の圧力である吐出圧力を検出する吐出圧力センサ３７と、が配置されている。また、室外熱交換器２３には、室外熱交換器２３を流れる冷媒の温度を検出する室外熱交温度センサ３８が設けられている。さらに、室外熱交換器２３又は室外ファン２５の周辺には、室外ユニット２内に吸入される室外の空気の温度を検出する外気温度センサ３９が配置されている。
【００４９】
室外ユニット２は、室外ユニット２を構成する各部の動作を制御する室外ユニット制御部２０を有している。室外ユニット制御部２０は、ＣＰＵやメモリ等を含むマイクロコンピュータを有している。室外ユニット制御部２０は、各室内ユニット５０の室内ユニット制御部５７と通信線を介して接続されており、制御信号等の送受信を行う。また、室外ユニット制御部２０は、吸入温度センサ３５、吸入圧力センサ３６、吐出圧力センサ３７、室外熱交温度センサ３８、外気温度センサ３９とそれぞれ電気的に接続されており、各センサからの信号を受信する。
【００５０】
（１−２）室内ユニット５０
室内ユニット５０は、対象空間である室内の壁面や天井等に設置されている。室内ユニット５０は、液冷媒連絡管６およびガス冷媒連絡管７を介して室外ユニット２と接続されており、冷媒回路１０の一部を構成している。
【００５１】
室内ユニット５０は、室内膨張弁５４と、室内熱交換器５２と、室内ファン５３と、を有している。
【００５２】
また、室内ユニット５０は、室内熱交換器５２の液側端と液冷媒連絡管６とを接続する室内液冷媒管５８と、室内熱交換器５２のガス側端とガス冷媒連絡管７とを接続する室内ガス冷媒管５９と、を有している。
【００５３】
室内膨張弁５４は、弁開度制御が可能な電動膨張弁であり、室内液冷媒管５８の途中に設けられている。
【００５４】
室内熱交換器５２は、冷房運転時には冷凍サイクルにおける低圧の冷媒の蒸発器として機能し、暖房運転時には冷凍サイクルにおける高圧の冷媒の放熱器として機能する熱交換器である。
【００５５】
室内ファン５３は、室内ユニット５０内に室内の空気を吸入して、室内熱交換器５２において冷媒と熱交換させた後に、外部に排出するための空気流れを生じさせる。室内ファン５３は、室内ファンモータＭ５３によって回転駆動される。
【００５６】
室内ユニット５０には、各種センサが配置されている。具体的には、室内ユニット５０の内部には、室内熱交換器５２を流れる冷媒の温度を検出する室内熱交温度センサ８１と、室内ユニット５０が設置されている空間における空気温度を検出する室内空気温度センサ８２と、室内ユニット５０が設置されている空間における空気の湿度を検出する室内湿度センサ８３と、室内ユニット５０が設置されている空間においてユーザが存在する位置における放射温度を非接触に検出する放射温度センサ８４とが配置されている。
【００５７】
また、室内ユニット５０は、室内ユニット５０を構成する各部の動作を制御する室内ユニット制御部５７を有している。室内ユニット制御部５７は、ＣＰＵやメモリ等を含むマイクロコンピュータを有している。室内ユニット制御部５７は、室外ユニット制御部２０と通信線を介して接続されており、制御信号等の送受信を行う。
【００５８】
室内ユニット制御部５７は、室内熱交温度センサ８１、室内空気温度センサ８２、室内湿度センサ８３がそれぞれ電気的に接続されており、各センサからの信号を受信する。
【００５９】
（１−３）リモコン５０ａ
リモコン５０ａは、室内ユニット５０のユーザが空気調和装置１００の運転状態を切り換えるための各種指示を入力するための入力装置である。また、リモコン５０ａは、空気調和装置１００の運転状態や所定の報知を行うための出力装置としても機能する。リモコン５０ａは、室内ユニット制御部５７と通信線を介して接続されており、相互に信号の送受信を行っている。
【００６０】
また、リモコン５０ａには、ユーザの着衣量の情報の受付を行う着衣量受付部５１ａと、ユーザの代謝量を把握するための代謝情報把握部５１ｂと、が設けられている。着衣量受付部５１ａは、リモコン５０ａに設けられた図示しない操作ボタンやタッチパネル等の入力部を介して、ユーザから、ユーザ自身の着衣量の情報を受け付ける。特に限定されないが、例えば、予め着衣量が定められている複数種類の着衣パターンのうち、ユーザが自信の着衣パターンに最も近いと判断するものの選択を受け付けることで、着衣量が把握されるようにしてもよい。代謝情報把握部５１ｂは、インターネット５５等の通信網を介して、ユーザが所持している携帯電話等の個人移動端末５６の位置情報履歴をＧＰＳシステム等を用いて把握することにより、直近の所定単位時間（例えば直近１０分）における移動距離から、予め定められた関係式に従って、ユーザの代謝量を把握する。
【００６１】
（２）コントローラ７０の詳細
空気調和装置１００では、室外ユニット制御部２０と室内ユニット制御部５７が通信線を介して接続されることで、空気調和装置１００の動作を制御する空調制御装置としてのコントローラ７０が構成されている。
【００６２】
図２は、コントローラ７０の概略構成と、コントローラ７０に接続される各部と、を模式的に示したブロック図である。
【００６３】
コントローラ７０は、複数の制御モードを有し、制御モードに応じて空気調和装置１００の運転を制御する。例えば、コントローラ７０は、制御モードとして、平常時に実行する通常運転モードと、ユーザの覚醒度を高めるための覚醒制御モードと、を有している。
【００６４】
コントローラ７０は、室外ユニット２に含まれる各アクチュエータ（具体的には、圧縮機２１（圧縮機モータＭ２１）、室外膨張弁２４、および室外ファン２５（室外ファンモータＭ２５））と、各種センサ（吸入温度センサ３５、吸入圧力センサ３６、吐出圧力センサ３７、室外熱交温度センサ３８、および外気温度センサ３９等）と、電気的に接続されている。また、コントローラ７０は、室内ユニット５０に含まれるアクチュエータ（具体的には、室内ファン５３（室内ファンモータＭ５３）、室内膨張弁５４）と電気的に接続されている。また、コントローラ７０は、室内熱交温度センサ８１と、室内空気温度センサ８２、室内湿度センサ８３、放射温度センサ８４、リモコン５０ａと、電気的に接続されている。
【００６５】
コントローラ７０は、主として、記憶部７１と、通信部７２と、モード制御部７３と、アクチュエータ制御部７４と、出力制御部７５と、を有している。なお、コントローラ７０内におけるこれらの各部は、室外ユニット制御部２０および／又は室内ユニット制御部５７に含まれる各部が一体的に機能することによって実現されている。
【００６６】
（２−１）記憶部７１
記憶部７１は、例えば、ROM、RAM、およびフラッシュメモリ等で構成されており、揮発性の記憶領域と不揮発性の記憶領域を含む。記憶部７１には、コントローラ７０の各部における処理を定義した制御プログラムが格納されている。また、記憶部７１は、コントローラ７０の各部によって、所定の情報（例えば、各センサの検出値、リモコン５０ａに入力されたコマンド等）を、所定の記憶領域に適宜格納される。
【００６７】
より具体的には、記憶部７１には、所定の快適方程式９１のデータと、所定の風速関係式９２のデータと、所定開始条件９３のデータ等が格納されている。
【００６８】
快適方程式９１のデータは、具体的には、室内空気温度、ユーザ近傍の放射温度、室内の相対湿度、ユーザ近傍の風速、ユーザの着衣量、ユーザの代謝量の６つの各要素の値から、ユーザの温熱環境評価指数ＰＭＶの値を算出するための方程式であり、予め定められたものである。特に限定されないが、温熱環境評価指数ＰＭＶとしては、ISO7730（1994）または、ISO7730（2005）に従った７段階評価尺度による数値としてもよい。
【００６９】
風速関係式９２のデータは、室内ファン５３の駆動状態に対応した、室内のユーザが存在する位置近傍における風速を算出するための関係式であり、室内ファン５３の室内ファンモータＭ５３への入力値が特定されることで当該風速値が求められるものである。
【００７０】
所定開始条件９３のデータは、空気調和装置１００が冷房運転、除湿運転、暖房運転等の通常制御モードが実行されている状態から覚醒制御モードが開始されるための条件を示すデータである。特に限定されないが、所定開始条件９３のデータとしては、例えば、特定の時間帯になることという条件や、最後に覚醒制御モードが終了してから所定間隔時間が経過していることという条件であってもよい。
【００７１】
（２−２）通信部７２
通信部７２は、コントローラ７０に接続される各機器と、信号の送受信を行うための通信インターフェースとしての役割を果たす機能部である。通信部７２は、アクチュエータ制御部７４からの依頼を受けて、指定されたアクチュエータに所定の信号を送信する。また、通信部７２は、各種センサ３５〜３９、８１〜８３、リモコン５０ａから出力された信号を受けて、記憶部７１の所定の記憶領域に格納する。
【００７２】
（２−３）モード制御部７３
モード制御部７３は、制御モードの切り換え等を行う機能部である。モード制御部７３は、室内ユニット５０のいずれにおいても所定開始条件を満たさない場合には、制御モードを通常運転モードとする。
【００７３】
一方、モード制御部７３は、室内ユニット５０において所定開始条件を満たした場合には、制御モードを覚醒制御モードに切り換える。
【００７４】
（２−４）アクチュエータ制御部７４
アクチュエータ制御部７４は、制御プログラムに沿って、状況に応じて、空気調和装置１００に含まれる各アクチュエータ（例えば圧縮機２１等）の動作を制御する。
【００７５】
例えば、アクチュエータ制御部７４は、通常運転モード時には、設定温度や各種センサの検出値等に応じて、圧縮機２１の回転数、室外ファン２５、室内ファン５３の回転数、室外膨張弁２４の弁開度、室内膨張弁５４の弁開度等をリアルタイムに制御する。
【００７６】
また、アクチュエータ制御部７４は、覚醒制御モード時には、所定の運転が行われるように各アクチュエータの動作を制御する。具体的には、ユーザのＰＭＶ（温熱環境評価指数）が現状よりも悪い状態になるように、アクチュエータ制御部７４は、圧縮機２１の回転数、室外ファン２５、室内ファン５３の回転数、室外膨張弁２４の弁開度、室内膨張弁５４の弁開度等をリアルタイムに制御する。
【００７７】
（２−５）出力制御部７５
出力制御部７５は、表示装置としてのリモコン５０ａの動作を制御する機能部である。
【００７８】
出力制御部７５は、運転状態や状況に係る情報を管理者に対して表示すべく、リモコン５０ａに所定の情報を出力させる。
【００７９】
例えば、出力制御部７５は、通常運転モード実行中には、設定温度等の各種情報をリモコン５０ａに表示させる。
【００８０】
また、出力制御部７５は、覚醒制御モード実行中には、覚醒制御モードが行われていることを表す情報を、リモコン５０ａが有するディスプレイに表示させる。
【００８１】
（３）通常運転モード
以下、通常運転モードについて説明する。
【００８２】
通常運転モードとしては、冷房運転モードと除湿運転モードと暖房運転モードとが設けられている。
【００８３】
コントローラ７０は、リモコン５０ａ等から受け付けた指示に基づいて、冷房運転モードか除湿運転モードか暖房運転モードかを判断し、実行する。
【００８４】
（３−１）冷房運転モード
空気調和装置１００では、冷房運転モードでは、四路切換弁２２の接続状態を圧縮機２１の吐出側と室外熱交換器２３とを接続しつつ圧縮機２１の吸入側とガス側閉鎖弁３０とを接続する冷房運転接続状態とし、冷媒回路１０に充填されている冷媒を、主として、圧縮機２１、室外熱交換器２３、室外膨張弁２４、室内膨張弁５４、室内熱交換器５２の順に循環させる。
【００８５】
より具体的には、冷房運転モードが開始されると、冷媒回路１０内において、冷媒が圧縮機２１に吸入されて圧縮された後に吐出される。ここで、冷凍サイクルにおける低圧は、吸入圧力センサ３６によって検出される吸入圧力であり、冷凍サイクルにおける高圧は、吐出圧力センサ３７によって検出される吐出圧力である。
【００８６】
圧縮機２１では、室内ユニット５０で要求される冷却負荷に応じた容量制御が行われる。具体的には、吸入圧力の目標値が室内ユニット５０で要求される冷却負荷に応じて設定され、吸入圧力が目標値になるように圧縮機２１の運転周波数が制御される。
【００８７】
圧縮機２１から吐出されたガス冷媒は、吐出管３１、四路切換弁２２を経て、室外熱交換器２３のガス側端に流入する。
【００８８】
室外熱交換器２３のガス側端に流入したガス冷媒は、室外熱交換器２３において、室外ファン２５によって供給される室外側空気と熱交換を行って放熱して凝縮し、液冷媒となって室外熱交換器２３の液側端から流出する。
【００８９】
室外熱交換器２３の液側端から流出した液冷媒は、室外液側配管３２、室外膨張弁２４、液側閉鎖弁２９、および液冷媒連絡管６を経て、室内ユニット５０に流入する。なお、冷房運転モードでは、室外膨張弁２４は全開状態となるように制御されている。
【００９０】
室内ユニット５０に流入した冷媒は、室内液冷媒管５８の一部を経て、室内膨張弁５４に流入する。室内膨張弁５４に流入した冷媒は、室内膨張弁５４によって冷凍サイクルにおける低圧になるまで減圧された後、室内熱交換器５２の液側端に流入する。なお、室内膨張弁５４の弁開度は、冷房運転モードでは、圧縮機２１の吸入冷媒の過熱度が所定の過熱度となるように制御される。ここで、圧縮機２１の吸入冷媒の過熱度は、吸入温度センサ３５による検出温度と吸入圧力センサ３６による検出圧力とを用いてコントローラ７０に算出される。室内熱交換器５２の液側端に流入した冷媒は、室内熱交換器５２において、室内ファン５３によって供給される室内空気と熱交換を行って蒸発し、ガス冷媒となって室内熱交換器５２のガス側端から流出する。室内熱交換器５２のガス側端から流出したガス冷媒は、室内ガス冷媒管５９を介して、ガス冷媒連絡管７に流れていく。
【００９１】
このようにして、ガス冷媒連絡管７を流れる冷媒は、ガス側閉鎖弁３０、室外ガス側配管３３、四路切換弁２２、および吸入管３４を経て、再び、圧縮機２１に吸入される。
【００９２】
（３−２）除湿運転モード
除湿運転モードは、室内ファン５３の運転を停止させることで室内熱交換器５２に対する室内空気の供給を制限させる点で異なる以外は、上記冷房運転モードと同様である。
【００９３】
（３−３）暖房運転モード
空気調和装置１００では、暖房運転モードでは、四路切換弁２２の接続状態を圧縮機２１の吐出側とガス側閉鎖弁３０とを接続しつつ圧縮機２１の吸入側と室外熱交換器２３とを接続する暖房運転接続状態とし、冷媒回路１０に充填されている冷媒を、主として、圧縮機２１、室内熱交換器５２、室内膨張弁５４、室外膨張弁２４、室外熱交換器２３の順に循環させる。
【００９４】
より具体的には、暖房運転モードが開始されると、冷媒回路１０内において、冷媒が圧縮機２１に吸入されて圧縮された後に吐出される。ここで、冷凍サイクルにおける低圧は、吸入圧力センサ３６によって検出される吸入圧力であり、冷凍サイクルにおける高圧は、吐出圧力センサ３７によって検出される吐出圧力である。
【００９５】
圧縮機２１では、室内ユニット５０で要求される暖房負荷に応じた容量制御が行われる。具体的には、吐出圧力の目標値が室内ユニット５０で要求される暖房負荷に応じて設定され、吐出圧力が目標値になるように圧縮機２１の運転周波数が制御される。
【００９６】
圧縮機２１から吐出されたガス冷媒は、吐出管３１、四路切換弁２２、室外ガス側配管３３、ガス冷媒連絡管７を流れた後、室内ガス冷媒管５９を介して室内ユニット５０に流入する。
【００９７】
室内ユニット５０に流入した冷媒は、室内ガス冷媒管５９を経て、室内熱交換器５２のガス側端に流入する。室内熱交換器５２のガス側端に流入した冷媒は、室内熱交換器５２において、室内ファン５３によって供給される室内空気と熱交換を行って放熱して凝縮し、液冷媒となって室内熱交換器５２の液側端から流出する。室内熱交換器５２の液側端から流出した冷媒は、室内液冷媒管５８、室内膨張弁５４を介して、液冷媒連絡管６に流れていく。なお、室内膨張弁５４の弁開度は、暖房運転モードでは全開状態となるように制御される。
【００９８】
このようにして、液冷媒連絡管６を流れる冷媒は、液側閉鎖弁２９、室外液側配管３２を介して、室外膨張弁２４に流入する。
【００９９】
室外膨張弁２４に流入した冷媒は、冷凍サイクルにおける低圧になるまで減圧された後、室外熱交換器２３の液側端に流入する。なお、室外膨張弁２４の弁開度は、暖房運転モードでは、圧縮機２１の吸入冷媒の過熱度が所定の過熱度となるように制御される。
【０１００】
室外熱交換器２３の液側端から流入した冷媒は、室外熱交換器２３において、室外ファン２５によって供給される室外空気と熱交換を行って蒸発し、ガス冷媒となって室外熱交換器２３のガス側端から流出する。
【０１０１】
室外熱交換器２３のガス側端から流出した冷媒は、四路切換弁２２、および吸入管３４を経て、再び、圧縮機２１に吸入される。
【０１０２】
（４）覚醒制御モードの処理
以下、図３に示すフローチャートを参考にしながら、通常制御モードから覚醒制御モードが行われる場合の処理の流れについて説明する。ここでは、通常制御モードが実行されている状態からの処理の流れを例に挙げる。
【０１０３】
なお、ここで、室内に存在するユーザは、事前に、リモコン５０ａの着衣量受付部５１ａを介して自身の着衣量のデータの入力を終えており、リモコン５０ａがユーザの着衣量を把握しているものとする。また、ユーザは、ＧＰＳにおいて存在位置が特定される状態で常時、携帯電話等の個人移動端末を保持しているものとする。
【０１０４】
ステップＳ１０では、モード制御部７３およびアクチュエータ制御部７４は、通常制御モードを実行させる。具体的には、モード制御部７３は、冷房運転、除湿運転、暖房運転のうちリモコン５０ａを介してユーザから選択された運転に切り換えつつ、アクチュエータ制御部７４がユーザによって設定された設定温度が実現されるように圧縮機２１等の各アクチュエータを制御する。
【０１０５】
ステップＳ１１では、モード制御部７３は、覚醒制御モードを開始させるための所定開始条件を満たしているか否かを判断する。この所定開始条件としては、特に限定されないが、例えば、毎日の所定の時刻（昼食後の覚醒度が低下しがちな１３：３０頃等）としてもよいし、最後に不快化制御が終了した時から所定間隔時間以上経過した時としてもよい。ここで、所定開始条件を満たしている場合にはステップＳ１２に移行し、満たしていない場合にはステップＳ１０を繰り返す。
【０１０６】
ステップＳ１２では、モード制御部７３は、ユーザの現状の温熱環境評価指数（ＰＭＶ）を算出する。具体的には、記憶部７１に格納されている快適方程式９１を読み出しつつ、室内空気温度（室内空気温度センサ８２の検知値）、ユーザ近傍の放射温度（放射温度センサ８４の検知値）、室内の相対湿度（室内湿度センサ８３の検知値）、ユーザ近傍の風速、ユーザの着衣量（着衣量受付部５１ａにおいて受け付けることでリモコン５０ａが把握している着衣量）、ユーザの代謝量の６つの各要素の値を代入して、ユーザの温熱環境評価指数（ＰＭＶ）の値を算出する。
【０１０７】
ここで、ユーザが存在する位置近傍における風速は、モード制御部７３が、現状の室内ファン５３の制御風量を記憶部７１に格納され風速関係式に代入することで算出する。また、ユーザの代謝量は、直近の所定単位時間（例えば、直近１０分）における移動距離から、予め定められた関係式に従って、代謝情報把握部５１ｂがユーザの代謝量を算出しているため、モード制御部７３が当該値を読み込む。
【０１０８】
以上のようにして、モード制御部７３は、把握した６つの各要素の値を快適方程式９１に代入することで、ユーザの温熱環境評価指数（ＰＭＶ）の現状の値を算出する。
【０１０９】
ステップＳ１３では、モード制御部７３は、ステップＳ１２において特定された温熱環境評価指数（ＰＭＶ）を、０から離れる方向に１だけ変化させることが可能な覚醒用の設定温度及び／又は設定風流を特定する。例えば、モード制御部７３は、空気調和装置１００の室内湿度を変えることなく、室内の設定温度や室内ファン５３の設定風量をユーザが不快に感じるように変えることで、温熱環境評価指数（ＰＭＶ）を不快な方向に１だけ変化させることが可能な新たな設定温度や設定風量を有する不快化制御を、快適方程式９１を用いて特定する。
【０１１０】
ステップＳ１４では、アクチュエータ制御部７４は、ステップＳ１３において特定された不快化制御を開始し、新たに設定された設定温度および設定湿度が実現されるように圧縮機２１等の各アクチュエータを制御する。
【０１１１】
ステップＳ１５では、モード制御部７３は、ステップＳ１４において不快化制御を開始してから所定継続時間が経過したか否かを判断する。ここで、所定経過時間としては、特に限定されないが、ユーザに不快に感じさせる観点から、１分以上であることが好ましく、十分に不快感を与える観点から２分以上が好ましく、より確実に不快化させる観点から４分以上が好ましい。なお、ユーザが環境変化による刺激を感じにくくなり、覚醒に導く効果が乏しくなるという観点から、不快化制御の継続時間は３０分を超えないことが好ましい。ここで、所定継続時間が経過している場合にはステップＳ１６に移行し、経過していない場合には、経過するまで不快化制御を継続させる。
【０１１２】
ステップＳ１６では、モード制御部７３は、不快化制御を終了させ、ステップＳ１０に戻って通常制御を再開させ、上記処理を繰り返す。
【０１１３】
（５）実施形態の特徴
（５−１）
本実施形態のコントローラ７０を備えた空気調和装置１００は、通常制御モードとは別に、ユーザが現状よりも不快に感じるように不快化制御される。このため、当該不快化制御によって、ユーザの温熱環境評価指数（ＰＭＶ）の値が現状よりも不快に感じる方向に変化するように環境を変化させることで、例えば、眠気を有していたようなユーザを覚醒させることが可能になりうる。このように、温熱環境評価指数（ＰＭＶ）の値を現状よりも悪化させるという、従来に無い新たな手法によってユーザの覚醒度を高めることが可能になる。
【０１１４】
（５−２）
本実施形態では、不快化制御の指標として、温熱環境評価指数（ＰＭＶ）を用いている。このため、ユーザの当該ＰＭＶの値を悪化させることができるような不快化制御を行うことにより、より確実にユーザを不快化させ、覚醒させることが可能になっている。
【０１１５】
（５−３）
本実施形態では、不快化制御を行う場合に、ユーザのＰＭＶの値が１以上不快化するような運転を行っている。このため、ユーザをより十分に不快化させ、覚醒させることが可能になっている。
【０１１６】
（５−４）
本実施形態では、不快化制御を継続して所定継続時間以上行っている。このため、ユーザが存在する室内の環境をより確実に変化させて、ユーザを不快化させ、覚醒させることが可能になっている。
【０１１７】
（５−５）
本実施形態では、通常運転が行われることで、ユーザにとって快適な状態を実現させつつ、所定開始条件を満たした場合にのみ不快化制御を行わせることで、特定の条件下でのみユーザを覚醒させるようにすることが可能になる。
【０１１８】
（６）変形例
上記実施形態では、本開示の実施形態の一例を説明したが、上記実施形態はなんら本開示内容を限定する趣旨ではなく、上記実施形態には限られない。本開示内容は、その趣旨を逸脱しない範囲で適宜変更した態様についても当然に含まれる。
【０１１９】
また、上記実施形態と以下に記載の複数の変形例は、互いに矛盾しないように適宜組合せるようにしてもよい。
【０１２０】
（６−１）変形例Ａ
上記実施形態では、ユーザを不快にさせるための不快化制御を行うことによりユーザの覚醒度を上昇させうる処理を例に挙げて説明した。
【０１２１】
これに対して、例えば、図４に示すように、ユーザの覚醒度が実際に向上していることが確認できるまで十分に不快化制御を行うようにしてもよい。
【０１２２】
具体的には、本変形例のコントローラ７０には、生体センサ４０と通信可能に接続されており、記憶部７１において覚醒度対比データ９４が格納されている。
【０１２３】
生体センサ４０は、ユーザの覚醒度を把握するためのセンサであり、例えば、ユーザの心電図波形を検出する心電図波形センサ４１と、ユーザの表情を検出する表情カメラ４２を用いることができる。心電図波形センサ４１は、ユーザの心臓付近に取り付けられることで用いられ、検出された心電図波形データを無線によりコントローラ７０に送信することができる。表情カメラ４２は、ユーザの顔の表情を撮影することが可能な室内の特定の位置に配置されており、検出された表情データを無線によりコントローラ７０に送信することができる。
【０１２４】
記憶部７１に格納されている覚醒度対比データ９４は、生体センサ４０としての心電図波形センサ４１と表情カメラ４２の各検出内容から、心電図波形と覚醒度の公知の関係およびユーザの所定の基準表情との違いに応じた表情と覚醒度の公知の関係に基づいて、ユーザの覚醒度を推定するためのデータである。なお、例えば、心電図波形センサ４１から把握される心電図波形に対応する覚醒度を、予め格納されている心電図波形と覚醒度との関係データを参照して特定し、さらに、表情カメラ４２から把握される表情と所定の基準表情との違いに対応する所定の覚醒度補正分により補正することで、ユーザの覚醒度を把握するようにしてもよい。
【０１２５】
そして、以上の構成を用いる場合には、例えば、図５のフローチャートに示すように、通常制御モードから覚醒制御モードが行われるようにしてもよい。
【０１２６】
なお、ここでも、上記実施形態と同様に、室内に存在するユーザは、事前に、リモコン５０ａの着衣量受付部５１ａを介して自身の着衣量のデータの入力を終えており、リモコン５０ａがユーザの着衣量を把握しているものとする。また、ユーザは、ＧＰＳにおいて存在位置が特定される状態で常時、携帯電話等の個人移動端末を保持しているものとする。
【０１２７】
ステップＳ２０では、モード制御部７３およびアクチュエータ制御部７４は、上記実施形態と同様に、通常制御モードを実行させる。
【０１２８】
ステップＳ２１では、モード制御部７３は、上記実施形態と同様に、覚醒制御モードを開始させるための所定開始条件を満たしているか否かを判断する。ここで、所定開始条件を満たしている場合にはステップＳ２２に移行し、満たしていない場合にはステップＳ２０を繰り返す。
【０１２９】
ステップＳ２２では、モード制御部７３は、上記実施形態と同様に、ユーザの現状の温熱環境評価指数（ＰＭＶ）を算出する。
【０１３０】
ステップＳ２３では、モード制御部７３は、ユーザの現状の覚醒度の推定値を算出する。具体的には、生体センサ４０における心電図波形センサ４１と表情カメラ４２の各検出結果と、記憶部７１に格納されている覚醒度対比データ９４と、から、現状のユーザの覚醒度の推定値を把握する。
【０１３１】
ステップＳ２４では、モード制御部７３は、ステップＳ１２において特定された温熱環境評価指数（ＰＭＶ）を、０から離れる方向に１だけ変化させることが可能な覚醒用の設定温度を特定する。
【０１３２】
ステップＳ２５では、アクチュエータ制御部７４は、特定された不快化制御を開始し、新たに設定された設定温度および設定湿度が実現されるように圧縮機２１等の各アクチュエータを制御する。
【０１３３】
ステップＳ２６では、モード制御部７３は、ステップＳ２５において不快化制御を開始してから所定継続時間が経過したか否かを判断する。ここで、所定継続時間が経過している場合にはステップＳ２７に移行し、経過していない場合には、経過するまで不快化制御を継続させる。
【０１３４】
ステップＳ２７では、モード制御部７３は、この時点でのユーザの覚醒度の推定値を再度把握し、ステップＳ２３で把握したユーザの覚醒度の推定値から所定値以上上昇しているか否かを判断する。ここで、所定値以上上昇していた場合には、ステップＳ２９に移行し、所定値以上上昇していない場合には、ステップＳ２８に移行する。
【０１３５】
ステップＳ２８では、直前まで行われていた不快化制御に比べて、ユーザのＰＭＶの値が０から離れる方向にさらに大きく変化させることができるような不快化制御を特定し、ステップＳ２５に移行する。このように、ステップＳ２５、Ｓ２６、Ｓ２７、Ｓ２８を繰り返すことで、ユーザの覚醒度の推定値を確実に上昇させることが可能になる（すなわち、ステップＳ２７において所定値以上上昇していると判断されるまで、上記処理が繰り返されることになる。）。
【０１３６】
ステップＳ２９では、モード制御部７３は、不快化制御を終了させ、ステップＳ２０に戻って通常制御を再開させ、上記処理を繰り返す。
【０１３７】
以上の処理によれば、不快化制御を行うことにより、より確実にユーザの覚醒度を向上させることが可能になる。
【０１３８】
（６−２）変形例Ｂ
上記実施形態は、不快化制御を開始するための所定開始条件として、所定の時刻になっていることや最後に不快化制御が終了した時から所定間隔時間以上経過したことを例に挙げて説明した。
【０１３９】
これに対して、不快化制御を開始するための所定開始条件は、これに限られるものではなく、例えば、図６に示すように、上記実施形態のステップＳ１１の処理を、通常制御モード実行中において対象者の覚醒度が所定値より低い値になっているか否かを判断する処理（ステップ１１ａ）に変更してもよい。この場合には、通常制御モードの実行時においてユーザの現状の覚醒度を把握（ステップＳ１０．５）した後に、上記ステップＳ１１ａを行うことになる。そして、対象者の覚醒度が所定値より低い状態になった場合には、ステップＳ１２に移行して、そのまま不快化制御を行うようにしてもよい。
【０１４０】
また、対象者の覚醒度が所定値より低い状態になることに代えて、対象者の覚醒度の単位時間当たりの低下度合いが所定値よりも大きい場合をステップＳ１２に移行するための条件としてもよい。
【０１４１】
このような制御により、通常制御モード実行時において対象者の覚醒度が低下した場合に限って不快化制御を行うことが可能になる。このため、対象者が十分に覚醒しているにもかかわらず不快化制御が行われてしまうことを抑制することができる。
【０１４２】
（６−３）変形例Ｃ
上記変形例Ａにおいても、上記実施形態と同様に、不快化制御を開始するための所定開始条件として、所定の時刻になっていることや最後に不快化制御が終了した時から所定間隔時間以上経過したことを例に挙げて説明した。
【０１４３】
これに対して、変形例Ａの処理に関しても、不快化制御を開始するための所定開始条件は、これに限られるものではなく、例えば、図７に示すように、上記変形例ＡのステップＳ２１の処理を、通常制御モード実行中において対象者の覚醒度が所定値より低い値になっているか否かを判断する処理（ステップ２１ａ）に変更してもよい。この場合には、通常制御モードの実行時においてユーザの現状の覚醒度を把握（ステップＳ２０．５）した後に、上記ステップＳ２１ａを行うことになる。そして、対象者の覚醒度が所定値より低い状態になった場合には、ステップＳ２２に移行して、そのまま不快化制御を行うようにしてもよい。また、ステップＳ２５の不快化制御を行うことで変化したユーザの覚醒度の現状値を再度把握し（ステップＳ２６．５）、ユーザの変化した覚醒度が所定値以上になっているか否かを確認することで（ステップＳ２７ａ）、不快化制御を終了させるようにしてもよい。
【０１４４】
また、対象者の覚醒度が所定値より低い状態になることに代えて、対象者の覚醒度の単位時間当たりの低下度合いが所定値よりも大きい場合をステップＳ２２に移行するための条件としてもよい。
【０１４５】
このような制御により、通常制御モード実行時において対象者の覚醒度が低下した場合に限って不快化制御を行うことが可能になる。このため、対象者が十分に覚醒しているにもかかわらず不快化制御が行われてしまうことを抑制することができる。
【０１４６】
（６−４）変形例Ｄ
上記実施形態では、ユーザのＰＭＶの現状値を把握し、当該ＰＭＶの値がユーザがより不快と感じるであろう値となるように、空気調和装置１００の制御目標値を定めて不快化制御を行うことを例に挙げて説明した。
【０１４７】
これに対して、例えば、図８に示すように、快適性関係値として、ユーザが存在している部屋の温度を把握し（ステップＳ１２ａ）、当該温度が、ユーザがより不快と感じるであろう値となるように、空気調和装置１００の設定温度を定めることで不快化制御を特定し（ステップ１３ａ）、当該特定された不快化制御を行うようにしてもよい。ここでの不快化制御における設定温度の定め方としては、特に限定されないが、例えば、通常制御モードとして冷房運転が行われている場合には現状の室内の温度よりも所定温度以上高い温度が設定温度となるようにしてもよいし、通常制御モードとして暖房運転が行われている場合には現状の室内の温度よりも所定温度以上低い温度が設定温度となるようにしてもよいし、通常制御モードの種類とは無関係に予めユーザが不快に感じるであろう不快温度をメモリに格納させておき、当該不快温度が目標値となるように不快化制御を特定してもよい。
【０１４８】
ここで、快適性関係値としては、ＰＭＶや温度に限られず、ユーザが存在している部屋の湿度やユーザが空気調和装置１００から受ける調和空気の風速、ユーザが存在している部屋の輻射、ユーザの不快指数等を用いるようにしてもよい。
【０１４９】
（６−５）変形例Ｅ
上記実施形態では、ユーザのＰＭＶの値が０から離れる方向に変化させることができるような不快化制御を特定する場合を例に挙げて説明した。
【０１５０】
しかし、ユーザのＰＭＶを変化させてユーザを不快化させる場合としては、ＰＭＶの値が０から離れる方向に変化させる場合に限られず、０を跨ぐように変化させるようにしてもよい。この場合には、ＰＭＶの値が０を跨ぎつつＰＭＶの絶対値が現状よりも大きくなるように変化させる場合であってもよい。
【０１５１】
（６−６）変形例Ｆ
上記実施形態は、現状の温熱環境評価指数（ＰＭＶ）を０から離れる方向に１だけ変化させることが可能な覚醒用の設定温度及び／又は設定風流が目標値となるような不快化制御を特定して実行する場合を例に挙げて説明した。
【０１５２】
これに対して、不快化制御を行う際に指標となるものは、温熱環境評価指数（ＰＭＶ）に限られず、例えば、対象者の不快指数を指標としてもよいし、対象空間の温度の設定温度からの乖離度合いを指標としてもよい。
【０１５３】
ここで、不快指数は、乾球温度（気温）をＴ（℃）とし、相対湿度をＨ（％）とした場合に、０．８１Ｔ＋０．０１Ｈ（０．９９Ｔ−１．４３）＋４６．３を計算して求めることができる。不快指数を指標として不快化制御を行う場合には、現状の不快指数を求め、当該不快指数を現状値よりも大きくさせる設定温度や設定湿度を目標値として定めて制御を行うようにしてもよい。
【０１５４】
なお、対象空間の温度の設定温度からの乖離度合いを指標として不快化制御を行う場合には、現状の乖離度合いを求め、当該乖離度合いの現状値よりも大きく乖離することになる設定温度を目標値として定めて制御を行うようにしてもよい。
【０１５５】
（６−７）変形例Ｇ
上記実施形態は、複数のユーザが室内に存在している場合に、各個人に対応するパーソナル空調手段が設けられており、各パーソナル空調手段を対応するユーザが不快になるように制御する場合に適用してもよい。
【実施例】
【０１５６】
対象者が存在している対象空間について、特定の当初温熱環境を、当初とは異なる温熱環境下に変化させた場合における、対象者の覚醒度の経時変化を測定した。
【０１５７】
ここで、当初温熱環境は、空気温度２７．３℃、壁面温度２７．３℃、相対湿度３１．６％、平均風速０．１ｍ／ｓ、着衣量０．３ｃｌｏ（半そで・短パン）、代謝量１．１ｍｅｔであり、この当初温熱環境の温熱環境評価指数（ＰＭＶ）の算出値は０．１３であった。
【０１５８】
これに対して、当初から変化させた温熱環境では、空気温度２１．６℃、壁面温度２７．３℃、相対湿度３１．６％、平均風速０．３ｍ／ｓ、着衣量０．３ｃｌｏ（半そで・短パン）、代謝量１．１ｍｅｔであり、この温熱環境の温熱環境評価指数（ＰＭＶ）の算出値は−２．０２であった。
【０１５９】
なお、対象者は、予め３０分以上継続して当初温熱環境下にいることで、環境に慣れていた者であった。
【０１６０】
温熱環境を変化させるための不快化制御としては、空気温度を２１．６℃とすることを目標として行い、空気温度２７．３℃が空気温度２１．６℃になるまでに、１５秒要した（吹き出し風向を対象者側に向けることで迅速に温度を低下させた。）。
【０１６１】
そして、対象者の覚醒度の経時変化は、不快化制御を開始した時点から測定した。
【０１６２】
なお、対象者の覚醒度は、対象者の眠気評価値の値を逆転させた値として定義した。すなわち、眠気評価値が高い方が覚醒度が低く、眠気評価値が低い方が覚醒度が高くなるように評価しており、具体的には、眠気評価値が５の場合には覚醒度は１と評価し、眠気評価値が４の場合には覚醒度は２と評価し、眠気評価値が３の場合には覚醒度は３と評価し、眠気評価値が２の場合には覚醒度は４と評価し、眠気評価値が１の場合には覚醒度は５と評価した。
【０１６３】
ここでの眠気評価値は、訓練した評定者が対象者を観察することで、以下の５段階基準に従った評価を行った。
【０１６４】
１：全く眠くなさそう    （視線の移動が速く、頻繁である。瞬きの周期は安定している。動きが活発で身体の動きを伴う。）
２：やや眠そう   （視線移動の動きが遅い。唇が開いている。）
３：眠そう（瞬きはゆっくりと頻発。口の動きがある。座り直し有り。顔に手をやる。）
４：かなり眠そう （意識的と思われる瞬きがある。頭を振る、肩の上下動など無用な体全体の動きあり。あくびは頻発し、深呼吸も見られる。瞬きも視線の動きも遅い。）
５：非常に眠そう （瞼を閉じる。頭が前に傾く。頭が後ろに倒れる。）
以上に基づいた対象者の覚醒度の経時変化を、図９のグラフに示す。
【０１６５】
図８に示す結果によれば、ＰＭＶが−２．０２となった環境下では、ＰＭＶが０．１３の環境下であった場合と比較して、１分継続時の対象者の覚醒度については、増大分が０．２８となり、２分経過時の増大分は０．５６となり、３分経過時の増大分は０．６１となり、４分経過時の増大分は１．０６となった。なお、４分経過以降は、覚醒度の低下が確認された。
【０１６６】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１６７】
４０  生体センサ
４１  心電図波形センサ
４２  表情カメラ
５１ａ  着衣量受付部（第１情報把握部）
５１ｂ  代謝情報把握部（第１情報把握部）
７０  コントローラ（空調制御装置）
７３  モード制御部（制御部、第２情報把握部）
８２  室内空気温度センサ（第１情報把握部）
８３  室内湿度センサ（第１情報把握部）
８４  放射温度センサ（第１情報把握部）
９１  快適方程式（第１情報把握部）
９２  風速関係式（第１情報把握部）
１００  空気調和装置
【先行技術文献】
【特許文献】
【０１６８】
【特許文献１】特開平１０−２５９９４３号公報
【図１】
2020041731.tif 000003
【図２】
2020041731.tif 000004
【図３】
2020041731.tif 000005
【図４】
2020041731.tif 000006
【図５】
2020041731.tif 000007
【図６】
2020041731.tif 000008
【図７】
2020041731.tif 000009
【図８】
2020041731.tif 000010
【図９】
2020041731.tif 000011
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
対象空間の空気環境を変化させることが可能な空気調和手段（１００）を制御する空調制御装置（７０）であって、
対象者の快適性に関連する所定の快適性関係値を把握するための第１情報把握部（８２、８３、８４、５１ａ、５１ｂ、９２、９１）と、
前記第１情報把握部により把握される前記快適性関係値に基づいて所定の不快条件を満たすように前記空気調和手段を制御する制御部（７３）と、
を備え、
前記快適性関係値は、ＰＭＶ（温熱環境評価指数）であり、
前記制御部は、前記第１情報把握部により把握される前記対象者の前記ＰＭＶの絶対値を現状よりも増大させ、前記対象者の覚醒度を維持もしくは高めるように、前記空気調和手段を制御する、
空調制御装置。
【請求項２】
前記制御部は、前記第１情報把握部により把握される前記対象者の前記ＰＭＶの絶対値を現状よりも１以上増大させるように、前記空気調和手段を制御する、
請求項１に記載の空調制御装置。
【請求項３】
前記制御部は、前記第１情報把握部により把握される前記対象者の前記ＰＭＶの絶対値を現状よりも２以上増大させる制御を４分以上継続させるように、前記空気調和手段を制御する、
請求項２に記載の空調制御装置。
【請求項４】
前記制御部は、前記第１情報把握部により把握される前記快適性関係値に基づいた制御を少なくとも１分以上継続させる、
請求項１または２に記載の空調制御装置。
【請求項５】
前記制御部は、前記第１情報把握部により把握される前記快適性関係値に基づいた制御の継続時間を３０分以下とする、
請求項１から４のいずれか１項に記載の空調制御装置。
【請求項６】
対象空間の空気環境を変化させることが可能な空気調和手段（１００）を制御する空調制御装置（７０）であって、
対象者の快適性に関連する所定の快適性関係値を把握するための第１情報把握部（８２、８３、８４、５１ａ、５１ｂ、９２、９１）と、
前記対象空間の設定温度条件が満たされるように前記空気調和手段を制御する通常制御を実行可能であり、前記通常制御が実行されている際に所定開始条件を満たした場合に、前記第１情報把握部により把握される前記快適性関係値に基づいて所定の不快条件を満たすように前記空気調和手段の制御を開始する制御部（７３）と、
を備えた空調制御装置。
【請求項７】
前記所定開始条件は、予め定められた時刻の条件である、
請求項６に記載の空調制御装置。
【請求項８】
前記対象者の心身状態情報又は生体状態情報を把握するための第２情報把握部（７３）をさらに備え、
前記制御部は、前記第１情報把握部により把握される前記快適性関係値に基づいた制御を行うことにより、前記第２情報把握部により把握される前記対象者の覚醒度を高めるように、前記空気調和手段を制御する、
請求項１から７のいずれか１項に記載の空調制御装置。
【請求項９】
前記対象者の心身状態情報又は生体状態情報を把握するための第２情報把握部（７３）をさらに備え、
前記所定開始条件は、前記第２情報把握部により把握される前記対象者の覚醒度が所定値以下になっているという条件である、
請求項６に記載の空調制御装置。
【請求項１０】
請求項１から９のいずれか１項に記載の空調制御装置（７０）を備えた、
空気調和装置（１００）。
【手続補正２】
【補正対象書類名】明細書
【補正対象項目名】全文
【補正方法】変更
【補正の内容】
【発明の詳細な説明】
【技術分野】
【０００１】
技術分野は、空調制御装置および空気調和装置に関する分野である。
【背景技術】
【０００２】
従来より、作業者の作業効率を高めるために、作業者の存在する空間における環境を改善させることが求められている。
【０００３】
例えば、特許文献１（特開平１０−２５９９４３号公報）に記載の空調調和機の制御装置では、対象者の覚醒度を把握しつつ、居眠り状態等の覚醒度の低下した状態から覚醒度の高い状態へ移行させるための空気調和動作を実行することで、室内の人間の作業能率を高く保つことを提案している。
【発明の概要】
【発明が解決しようとする課題】
【０００４】
ここで、上記特許文献１に記載の空気調和機の制御装置では、対象者に不快感を与えない範囲で、設定温度、風量、風向を変化させることにより、対象者の覚醒度を高めることのみを開示しているが、覚醒度を高める新たな手法が望まれる。
【０００５】
本開示の課題は、上述した点に鑑みてなされたものであり、対象者を覚醒に導くことが可能な空調制御装置および空気調和装置を提供することにある。
【課題を解決するための手段】
【０００６】
第１観点に係る空調制御装置は、対象空間の空気環境を変化させることが可能な空気調和手段を制御する空調制御装置であって、第１情報把握部と、制御部と、を備えている。第１情報把握部は、対象者の快適性に関連する所定の快適性関係値を把握するためのものである。制御部は、第１情報把握部により把握される快適性関係値に基づいて所定の不快条件を満たすように空気調和手段を制御する。快適性関係値は、ＰＭＶ（温熱環境評価指数）である。制御部は、第１情報把握部により把握される対象者のＰＭＶの絶対値を現状よりも増大させ、対象者の覚醒度を維持もしくは高めるように、空気調和手段を制御する。
【０００７】
ここで、空気調和手段としては、特に限定されないが、例えば、対象空間の温度、湿度、風速の少なくともいずれかを変化させるものであってもよい。
【０００８】
この空調制御装置では、対象者の快適性関係値に基づいて所定の不快条件を満たすように空気調和手段を制御するという従来に無い新たな手法により対象者の覚醒度を高めることが可能になる。
【０００９】
また、この空調制御装置では、対象者の快適性をさらに確実に悪化させることが可能になる。
【００１０】
第２観点に係る空調制御装置は、第１観点に係る空調制御装置であって、制御部は、第１情報把握部により把握される対象者のＰＭＶの絶対値を現状よりも１以上増大させるように、空気調和手段を制御する。
【００１１】
この空調制御装置では、対象者の快適性を十分に悪化させることで、より確実に覚醒度を高めることが可能になる。
【００１２】
第３観点に係る空調制御装置は、第２観点に係る空調制御装置であって、制御部は、第１情報把握部により把握される対象者のＰＭＶの絶対値を現状よりも２以上増大させる制御を４分以上継続させるように、空気調和手段を制御する。
【００１３】
この空調制御装置では、対象者の覚醒度を有意に高めることが可能になる。
【００１４】
第４観点に係る空調制御装置は、第１観点または第２観点に係る空調制御装置であって、制御部は、第１情報把握部により把握される快適性関係値に基づいた制御を少なくとも１分以上継続させる。
【００１５】
この空調制御装置では、対象者の快適性を十分な時間だけ悪化させることで、より確実に覚醒度を高めることが可能になる。
【００１６】
第５観点に係る空調制御装置は、第１観点から第４観点のいずれかに係る空調制御装置であって、制御部は、第１情報把握部により把握される快適性関係値に基づいた制御の継続時間を３０分以下とする。
【００１７】
この空調制御装置では、対象者を不快にさせる時間が長すぎることによってかえって覚醒度を向上させる効果が低下してしまうことを抑制できる。
【００１８】
第６観点に係る空調制御装置は、対象空間の空気環境を変化させることが可能な空気調和手段を制御する空調制御装置であって、第１情報把握部と、制御部と、を備えている。第１情報把握部は、対象者の快適性に関連する所定の快適性関係値を把握するためのものである。制御部は、第１情報把握部により把握される快適性関係値に基づいて所定の不快条件を満たすように空気調和手段を制御する。制御部は、対象空間の設定温度条件が満たされるように空気調和手段を制御する通常制御を実行可能である。制御部は、通常制御が実行されている際に所定開始条件を満たした場合に、第１情報把握部により把握される快適性関係値に基づいた制御を開始させる。
【００１９】
ここで、空気調和手段としては、特に限定されないが、例えば、対象空間の温度、湿度、風速の少なくともいずれかを変化させるものであってもよい。
【００２０】
また、快適性関係値としては、特に限定されず、ヒトの快適性を表す値、ヒトの快適性に影響を与える環境物理量、当該環境物理量に相関する物理量等が含まれる。このような快適性関係値は、例えば、対象者のＰＭＶ（温熱環境評価指数）の値であってもよいし、対象者の不快指数であってもよいし、空気調和手段が設定温度を目標値として制御されるものである場合には対象空間の温度の設定温度からの乖離度合いであってもよいし、対象者が存在する空間の温度、湿度、輻射、対象者付近の風速であってもよく、これらのいずれか１つまたは組み合わせにより得られる値であってもよい。
【００２１】
また、「快適性関係値に基づいて所定の不快条件を満たすように・・・制御する」とは、特に限定されず、例えば、快適性関係値が現状値よりも対象者が不快に感じるであろうと予測される所定の範囲になるように制御することであってもよいし、快適性関係値が現状値よりも対象者が不快に感じる方向に推移することとなるように制御することであってもよい。例えば、快適性関係値が対象者の不快指数である場合には当該不快指数の不快度合いがより増すように制御してもよいし、快適性関係値が対象者のＰＭＶである場合には当該ＰＭＶの絶対値がより増すように制御してもよいし、快適性関係値が対象者が存在する空間の温度である場合には所定の不快温度条件を満たすように制御してもよい。
【００２２】
この空調制御装置では、対象者の快適性関係値に基づいて所定の不快条件を満たすように空気調和手段を制御するという従来に無い新たな手法により対象者の覚醒度を高めることが可能になる。
【００２３】
また、この空調制御装置では、対象者の快適性を悪化させる制御を、常時行わせるのではなく、通常制御の実行中に所定開始条件を満たした場合に限ることが可能になり、対象者の快適性を悪化させる制御が不必要に行われることを抑制することができる。
【００２４】
第７観点に係る空調制御装置は、第６観点に係る空調制御装置であって、所定開始条件は、予め定められた時刻の条件である。
【００２５】
この空調制御装置では、通常制御の実行中において、予め定められた時刻になった場合に限って対象者の快適性を悪化させる制御を開始させることが可能になる。
【００２６】
第８観点に係る空調制御装置は、第１観点から第７観点のいずれかに係る空調制御装置であって、第２情報制御部をさらに備えている。第２情報制御部は、対象者の心身状態情報又は生体状態情報を把握するためのものである。制御部は、第１情報把握部により把握される快適性関係値に基づいた制御を行うことにより、第２情報把握部により把握される対象者の覚醒度を高めるように、空気調和手段を制御する。
【００２７】
ここで、覚醒度としては、特に限定されないが、例えば、ユーザの心拍の状態に基づいて定まるものであってもよいし、ユーザの表情に基づいて定まるものであってもよいし、ユーザの皮膚の温度に基づいて定まるものであってもよいし、ユーザの呼吸の単位時間当たりの回数に基づいて定まるものであってもよいし、ユーザの脳波に基づいて定まるものであってもよいし、これらの組み合わせに基づいて定まるものであってもよい。
【００２８】
この空調制御装置では、対象者を不快にさせることにより、対象者の覚醒度をより確実に高めることが可能になる。
【００２９】
第９観点に係る空調制御装置は、第６観点に係る空調制御装置であって、第２情報制御部をさらに備えている。第２情報制御部は、対象者の心身状態情報又は生体状態情報を把握するためのものである。所定開始条件は、第２情報把握部により把握される対象者の覚醒度が所定値以下になっているという条件である。
【００３０】
この空調制御装置では、対象者の覚醒度の低下が確認されたときに対象者を不快にさせることにより、対象者の覚醒度が良好な状態を維持させやすくなる。
【００３１】
第１０観点に係る空気調和装置は、第１観点から第９観点のいずれかに係る空調制御装置を備えている。
【００３２】
この空気調和装置は、対象者を覚醒に導くことが可能になる。
【図面の簡単な説明】
【００３３】
【図１】空気調和装置の全体構成図。
【図２】空気調和装置のブロック構成図。
【図３】覚醒制御モードの制御フローチャート。
【図４】変形例Ａに係る空気調和装置のブロック構成図。
【図５】変形例Ａに係る覚醒制御モードの制御フローチャート。
【図６】変形例Ｂに係る覚醒制御モードの制御フローチャート。
【図７】変形例Ｃに係る覚醒制御モードの制御フローチャート。
【図８】変形例Ｄに係る覚醒制御モードの制御フローチャート。
【図９】対象者の覚醒度の経時変化を示すグラフ。
【発明を実施するための形態】
【００３４】
以下、図面を参照しながら、一実施形態に係る空調制御装置およびこれが設けられた空気調和装置について説明する。なお、以下の実施形態は、本開示の具体例であって、本開示内容の技術的範囲を限定するものではなく、その要旨を逸脱しない範囲で適宜変更が可能である。
【００３５】
（１）空気調和装置１００
図１は、空気調和装置１００の概略構成図である。空気調和装置１００は、蒸気圧縮式の冷凍サイクルを行うことで、対象空間の空気を調和させる装置である。
【００３６】
空気調和装置１００は、主として、室外ユニット２と、室内ユニット５０と、室外ユニット２と室内ユニット５０を接続する液冷媒連絡管６およびガス冷媒連絡管７と、入力装置および出力装置としての複数のリモコン５０ａと、空気調和装置１００の動作を制御するコントローラ７０と、を有している。
【００３７】
空気調和装置１００では、冷媒回路１０内に封入された冷媒が、圧縮され、冷却又は凝縮され、減圧され、加熱又は蒸発された後に、再び圧縮される、という冷凍サイクルが行われる。
【００３８】
（１−１）室外ユニット２
室外ユニット２は、液冷媒連絡管６およびガス冷媒連絡管７を介して室内ユニット５０と接続されており、冷媒回路１０の一部を構成している。室外ユニット２は、主として、圧縮機２１と、四路切換弁２２と、室外熱交換器２３と、室外膨張弁２４と、室外ファン２５と、液側閉鎖弁２９と、ガス側閉鎖弁３０と、を有している。
【００３９】
また、室外ユニット２は、冷媒回路１０を構成する配管である吐出管３１、吸入管３４、室外ガス側配管３３、室外液側配管３２を有している。吐出管３１は、圧縮機２１の吐出側と四路切換弁２２の第１接続ポートとを接続している。吸入管３４は、圧縮機２１の吸入側と四路切換弁２２の第２続ポートとを接続している。室外ガス側配管３３は、四路切換弁２２の第３ポートとガス側閉鎖弁３０とを接続している。室外液側配管３２は、四路切換弁２２の第４ポートから室外熱交換器２３および室外膨張弁２４を介して液側閉鎖弁２９まで伸びている。
【００４０】
圧縮機２１は、冷凍サイクルにおける低圧の冷媒を高圧になるまで圧縮する機器である。ここでは、圧縮機２１として、ロータリ式やスクロール式等の容積式の圧縮要素（図示省略）が圧縮機モータＭ２１によって回転駆動される密閉式構造の圧縮機が使用されている。圧縮機モータＭ２１は、容量を変化させるためのものであり、インバータにより運転周波数の制御が可能である。
【００４１】
四路切換弁２２は、接続状態を切り換えることで、圧縮機２１の吐出側と室外熱交換器２３とを接続しつつ圧縮機２１の吸入側とガス側閉鎖弁３０とを接続する冷房運転接続状態と、圧縮機２１の吐出側とガス側閉鎖弁３０とを接続しつつ圧縮機２１の吸入側と室外熱交換器２３とを接続する暖房運転接続状態と、を切り換えることができる。
【００４２】
室外熱交換器２３は、冷房運転時には冷凍サイクルにおける高圧の冷媒の放熱器として機能し、暖房運転時には冷凍サイクルにおける低圧の冷媒の蒸発器として機能する熱交換器である。
【００４３】
室外ファン２５は、室外ユニット２内に室外の空気を吸入して、室外熱交換器２３において冷媒と熱交換させた後に、外部に排出するための空気流れを生じさせる。室外ファン２５は、室外ファンモータＭ２５によって回転駆動される。
【００４４】
室外膨張弁２４は、弁開度制御が可能な電動膨張弁であり、室外液側配管３２の途中の室外熱交換器２３と液側閉鎖弁２９との間に設けられている。
【００４５】
液側閉鎖弁２９は、室外液側配管３２と液冷媒連絡管６との接続部分に配置された手動弁である。
【００４６】
ガス側閉鎖弁３０は、室外ガス側配管３３とガス冷媒連絡管７との接続部分に配置された手動弁である。
【００４７】
室外ユニット２には、各種センサが配置されている。具体的には、室外ユニット２の圧縮機２１周辺には、圧縮機２１の吸入側における冷媒の温度である吸入温度センサ３５と、圧縮機２１の吸入側における冷媒の圧力である吸入圧力を検出する吸入圧力センサ３６と、圧縮機２１の吐出側における冷媒の圧力である吐出圧力を検出する吐出圧力センサ３７と、が配置されている。また、室外熱交換器２３には、室外熱交換器２３を流れる冷媒の温度を検出する室外熱交温度センサ３８が設けられている。さらに、室外熱交換器２３又は室外ファン２５の周辺には、室外ユニット２内に吸入される室外の空気の温度を検出する外気温度センサ３９が配置されている。
【００４８】
室外ユニット２は、室外ユニット２を構成する各部の動作を制御する室外ユニット制御部２０を有している。室外ユニット制御部２０は、ＣＰＵやメモリ等を含むマイクロコンピュータを有している。室外ユニット制御部２０は、各室内ユニット５０の室内ユニット制御部５７と通信線を介して接続されており、制御信号等の送受信を行う。また、室外ユニット制御部２０は、吸入温度センサ３５、吸入圧力センサ３６、吐出圧力センサ３７、室外熱交温度センサ３８、外気温度センサ３９とそれぞれ電気的に接続されており、各センサからの信号を受信する。
【００４９】
（１−２）室内ユニット５０
室内ユニット５０は、対象空間である室内の壁面や天井等に設置されている。室内ユニット５０は、液冷媒連絡管６およびガス冷媒連絡管７を介して室外ユニット２と接続されており、冷媒回路１０の一部を構成している。
【００５０】
室内ユニット５０は、室内膨張弁５４と、室内熱交換器５２と、室内ファン５３と、を有している。
【００５１】
また、室内ユニット５０は、室内熱交換器５２の液側端と液冷媒連絡管６とを接続する室内液冷媒管５８と、室内熱交換器５２のガス側端とガス冷媒連絡管７とを接続する室内ガス冷媒管５９と、を有している。
【００５２】
室内膨張弁５４は、弁開度制御が可能な電動膨張弁であり、室内液冷媒管５８の途中に設けられている。
【００５３】
室内熱交換器５２は、冷房運転時には冷凍サイクルにおける低圧の冷媒の蒸発器として機能し、暖房運転時には冷凍サイクルにおける高圧の冷媒の放熱器として機能する熱交換器である。
【００５４】
室内ファン５３は、室内ユニット５０内に室内の空気を吸入して、室内熱交換器５２において冷媒と熱交換させた後に、外部に排出するための空気流れを生じさせる。室内ファン５３は、室内ファンモータＭ５３によって回転駆動される。
【００５５】
室内ユニット５０には、各種センサが配置されている。具体的には、室内ユニット５０の内部には、室内熱交換器５２を流れる冷媒の温度を検出する室内熱交温度センサ８１と、室内ユニット５０が設置されている空間における空気温度を検出する室内空気温度センサ８２と、室内ユニット５０が設置されている空間における空気の湿度を検出する室内湿度センサ８３と、室内ユニット５０が設置されている空間においてユーザが存在する位置における放射温度を非接触に検出する放射温度センサ８４とが配置されている。
【００５６】
また、室内ユニット５０は、室内ユニット５０を構成する各部の動作を制御する室内ユニット制御部５７を有している。室内ユニット制御部５７は、ＣＰＵやメモリ等を含むマイクロコンピュータを有している。室内ユニット制御部５７は、室外ユニット制御部２０と通信線を介して接続されており、制御信号等の送受信を行う。
【００５７】
室内ユニット制御部５７は、室内熱交温度センサ８１、室内空気温度センサ８２、室内湿度センサ８３がそれぞれ電気的に接続されており、各センサからの信号を受信する。
【００５８】
（１−３）リモコン５０ａ
リモコン５０ａは、室内ユニット５０のユーザが空気調和装置１００の運転状態を切り換えるための各種指示を入力するための入力装置である。また、リモコン５０ａは、空気調和装置１００の運転状態や所定の報知を行うための出力装置としても機能する。リモコン５０ａは、室内ユニット制御部５７と通信線を介して接続されており、相互に信号の送受信を行っている。
【００５９】
また、リモコン５０ａには、ユーザの着衣量の情報の受付を行う着衣量受付部５１ａと、ユーザの代謝量を把握するための代謝情報把握部５１ｂと、が設けられている。着衣量受付部５１ａは、リモコン５０ａに設けられた図示しない操作ボタンやタッチパネル等の入力部を介して、ユーザから、ユーザ自身の着衣量の情報を受け付ける。特に限定されないが、例えば、予め着衣量が定められている複数種類の着衣パターンのうち、ユーザが自信の着衣パターンに最も近いと判断するものの選択を受け付けることで、着衣量が把握されるようにしてもよい。代謝情報把握部５１ｂは、インターネット５５等の通信網を介して、ユーザが所持している携帯電話等の個人移動端末５６の位置情報履歴をＧＰＳシステム等を用いて把握することにより、直近の所定単位時間（例えば直近１０分）における移動距離から、予め定められた関係式に従って、ユーザの代謝量を把握する。
【００６０】
（２）コントローラ７０の詳細
空気調和装置１００では、室外ユニット制御部２０と室内ユニット制御部５７が通信線を介して接続されることで、空気調和装置１００の動作を制御する空調制御装置としてのコントローラ７０が構成されている。
【００６１】
図２は、コントローラ７０の概略構成と、コントローラ７０に接続される各部と、を模式的に示したブロック図である。
【００６２】
コントローラ７０は、複数の制御モードを有し、制御モードに応じて空気調和装置１００の運転を制御する。例えば、コントローラ７０は、制御モードとして、平常時に実行する通常運転モードと、ユーザの覚醒度を高めるための覚醒制御モードと、を有している。
【００６３】
コントローラ７０は、室外ユニット２に含まれる各アクチュエータ（具体的には、圧縮機２１（圧縮機モータＭ２１）、室外膨張弁２４、および室外ファン２５（室外ファンモータＭ２５））と、各種センサ（吸入温度センサ３５、吸入圧力センサ３６、吐出圧力センサ３７、室外熱交温度センサ３８、および外気温度センサ３９等）と、電気的に接続されている。また、コントローラ７０は、室内ユニット５０に含まれるアクチュエータ（具体的には、室内ファン５３（室内ファンモータＭ５３）、室内膨張弁５４）と電気的に接続されている。また、コントローラ７０は、室内熱交温度センサ８１と、室内空気温度センサ８２、室内湿度センサ８３、放射温度センサ８４、リモコン５０ａと、電気的に接続されている。
【００６４】
コントローラ７０は、主として、記憶部７１と、通信部７２と、モード制御部７３と、アクチュエータ制御部７４と、出力制御部７５と、を有している。なお、コントローラ７０内におけるこれらの各部は、室外ユニット制御部２０および／又は室内ユニット制御部５７に含まれる各部が一体的に機能することによって実現されている。
【００６５】
（２−１）記憶部７１
記憶部７１は、例えば、ROM、RAM、およびフラッシュメモリ等で構成されており、揮発性の記憶領域と不揮発性の記憶領域を含む。記憶部７１には、コントローラ７０の各部における処理を定義した制御プログラムが格納されている。また、記憶部７１は、コントローラ７０の各部によって、所定の情報（例えば、各センサの検出値、リモコン５０ａに入力されたコマンド等）を、所定の記憶領域に適宜格納される。
【００６６】
より具体的には、記憶部７１には、所定の快適方程式９１のデータと、所定の風速関係式９２のデータと、所定開始条件９３のデータ等が格納されている。
【００６７】
快適方程式９１のデータは、具体的には、室内空気温度、ユーザ近傍の放射温度、室内の相対湿度、ユーザ近傍の風速、ユーザの着衣量、ユーザの代謝量の６つの各要素の値から、ユーザの温熱環境評価指数ＰＭＶの値を算出するための方程式であり、予め定められたものである。特に限定されないが、温熱環境評価指数ＰＭＶとしては、ISO7730（1994）または、ISO7730（2005）に従った７段階評価尺度による数値としてもよい。
【００６８】
風速関係式９２のデータは、室内ファン５３の駆動状態に対応した、室内のユーザが存在する位置近傍における風速を算出するための関係式であり、室内ファン５３の室内ファンモータＭ５３への入力値が特定されることで当該風速値が求められるものである。
【００６９】
所定開始条件９３のデータは、空気調和装置１００が冷房運転、除湿運転、暖房運転等の通常制御モードが実行されている状態から覚醒制御モードが開始されるための条件を示すデータである。特に限定されないが、所定開始条件９３のデータとしては、例えば、特定の時間帯になることという条件や、最後に覚醒制御モードが終了してから所定間隔時間が経過していることという条件であってもよい。
【００７０】
（２−２）通信部７２
通信部７２は、コントローラ７０に接続される各機器と、信号の送受信を行うための通信インターフェースとしての役割を果たす機能部である。通信部７２は、アクチュエータ制御部７４からの依頼を受けて、指定されたアクチュエータに所定の信号を送信する。また、通信部７２は、各種センサ３５〜３９、８１〜８３、リモコン５０ａから出力された信号を受けて、記憶部７１の所定の記憶領域に格納する。
【００７１】
（２−３）モード制御部７３
モード制御部７３は、制御モードの切り換え等を行う機能部である。モード制御部７３は、室内ユニット５０のいずれにおいても所定開始条件を満たさない場合には、制御モードを通常運転モードとする。
【００７２】
一方、モード制御部７３は、室内ユニット５０において所定開始条件を満たした場合には、制御モードを覚醒制御モードに切り換える。
【００７３】
（２−４）アクチュエータ制御部７４
アクチュエータ制御部７４は、制御プログラムに沿って、状況に応じて、空気調和装置１００に含まれる各アクチュエータ（例えば圧縮機２１等）の動作を制御する。
【００７４】
例えば、アクチュエータ制御部７４は、通常運転モード時には、設定温度や各種センサの検出値等に応じて、圧縮機２１の回転数、室外ファン２５、室内ファン５３の回転数、室外膨張弁２４の弁開度、室内膨張弁５４の弁開度等をリアルタイムに制御する。
【００７５】
また、アクチュエータ制御部７４は、覚醒制御モード時には、所定の運転が行われるように各アクチュエータの動作を制御する。具体的には、ユーザのＰＭＶ（温熱環境評価指数）が現状よりも悪い状態になるように、アクチュエータ制御部７４は、圧縮機２１の回転数、室外ファン２５、室内ファン５３の回転数、室外膨張弁２４の弁開度、室内膨張弁５４の弁開度等をリアルタイムに制御する。
【００７６】
（２−５）出力制御部７５
出力制御部７５は、表示装置としてのリモコン５０ａの動作を制御する機能部である。
【００７７】
出力制御部７５は、運転状態や状況に係る情報を管理者に対して表示すべく、リモコン５０ａに所定の情報を出力させる。
【００７８】
例えば、出力制御部７５は、通常運転モード実行中には、設定温度等の各種情報をリモコン５０ａに表示させる。
【００７９】
また、出力制御部７５は、覚醒制御モード実行中には、覚醒制御モードが行われていることを表す情報を、リモコン５０ａが有するディスプレイに表示させる。
【００８０】
（３）通常運転モード
以下、通常運転モードについて説明する。
【００８１】
通常運転モードとしては、冷房運転モードと除湿運転モードと暖房運転モードとが設けられている。
【００８２】
コントローラ７０は、リモコン５０ａ等から受け付けた指示に基づいて、冷房運転モードか除湿運転モードか暖房運転モードかを判断し、実行する。
【００８３】
（３−１）冷房運転モード
空気調和装置１００では、冷房運転モードでは、四路切換弁２２の接続状態を圧縮機２１の吐出側と室外熱交換器２３とを接続しつつ圧縮機２１の吸入側とガス側閉鎖弁３０とを接続する冷房運転接続状態とし、冷媒回路１０に充填されている冷媒を、主として、圧縮機２１、室外熱交換器２３、室外膨張弁２４、室内膨張弁５４、室内熱交換器５２の順に循環させる。
【００８４】
より具体的には、冷房運転モードが開始されると、冷媒回路１０内において、冷媒が圧縮機２１に吸入されて圧縮された後に吐出される。ここで、冷凍サイクルにおける低圧は、吸入圧力センサ３６によって検出される吸入圧力であり、冷凍サイクルにおける高圧は、吐出圧力センサ３７によって検出される吐出圧力である。
【００８５】
圧縮機２１では、室内ユニット５０で要求される冷却負荷に応じた容量制御が行われる。具体的には、吸入圧力の目標値が室内ユニット５０で要求される冷却負荷に応じて設定され、吸入圧力が目標値になるように圧縮機２１の運転周波数が制御される。
【００８６】
圧縮機２１から吐出されたガス冷媒は、吐出管３１、四路切換弁２２を経て、室外熱交換器２３のガス側端に流入する。
【００８７】
室外熱交換器２３のガス側端に流入したガス冷媒は、室外熱交換器２３において、室外ファン２５によって供給される室外側空気と熱交換を行って放熱して凝縮し、液冷媒となって室外熱交換器２３の液側端から流出する。
【００８８】
室外熱交換器２３の液側端から流出した液冷媒は、室外液側配管３２、室外膨張弁２４、液側閉鎖弁２９、および液冷媒連絡管６を経て、室内ユニット５０に流入する。なお、冷房運転モードでは、室外膨張弁２４は全開状態となるように制御されている。
【００８９】
室内ユニット５０に流入した冷媒は、室内液冷媒管５８の一部を経て、室内膨張弁５４に流入する。室内膨張弁５４に流入した冷媒は、室内膨張弁５４によって冷凍サイクルにおける低圧になるまで減圧された後、室内熱交換器５２の液側端に流入する。なお、室内膨張弁５４の弁開度は、冷房運転モードでは、圧縮機２１の吸入冷媒の過熱度が所定の過熱度となるように制御される。ここで、圧縮機２１の吸入冷媒の過熱度は、吸入温度センサ３５による検出温度と吸入圧力センサ３６による検出圧力とを用いてコントローラ７０に算出される。室内熱交換器５２の液側端に流入した冷媒は、室内熱交換器５２において、室内ファン５３によって供給される室内空気と熱交換を行って蒸発し、ガス冷媒となって室内熱交換器５２のガス側端から流出する。室内熱交換器５２のガス側端から流出したガス冷媒は、室内ガス冷媒管５９を介して、ガス冷媒連絡管７に流れていく。
【００９０】
このようにして、ガス冷媒連絡管７を流れる冷媒は、ガス側閉鎖弁３０、室外ガス側配管３３、四路切換弁２２、および吸入管３４を経て、再び、圧縮機２１に吸入される。
【００９１】
（３−２）除湿運転モード
除湿運転モードは、室内ファン５３の運転を停止させることで室内熱交換器５２に対する室内空気の供給を制限させる点で異なる以外は、上記冷房運転モードと同様である。
【００９２】
（３−３）暖房運転モード
空気調和装置１００では、暖房運転モードでは、四路切換弁２２の接続状態を圧縮機２１の吐出側とガス側閉鎖弁３０とを接続しつつ圧縮機２１の吸入側と室外熱交換器２３とを接続する暖房運転接続状態とし、冷媒回路１０に充填されている冷媒を、主として、圧縮機２１、室内熱交換器５２、室内膨張弁５４、室外膨張弁２４、室外熱交換器２３の順に循環させる。
【００９３】
より具体的には、暖房運転モードが開始されると、冷媒回路１０内において、冷媒が圧縮機２１に吸入されて圧縮された後に吐出される。ここで、冷凍サイクルにおける低圧は、吸入圧力センサ３６によって検出される吸入圧力であり、冷凍サイクルにおける高圧は、吐出圧力センサ３７によって検出される吐出圧力である。
【００９４】
圧縮機２１では、室内ユニット５０で要求される暖房負荷に応じた容量制御が行われる。具体的には、吐出圧力の目標値が室内ユニット５０で要求される暖房負荷に応じて設定され、吐出圧力が目標値になるように圧縮機２１の運転周波数が制御される。
【００９５】
圧縮機２１から吐出されたガス冷媒は、吐出管３１、四路切換弁２２、室外ガス側配管３３、ガス冷媒連絡管７を流れた後、室内ガス冷媒管５９を介して室内ユニット５０に流入する。
【００９６】
室内ユニット５０に流入した冷媒は、室内ガス冷媒管５９を経て、室内熱交換器５２のガス側端に流入する。室内熱交換器５２のガス側端に流入した冷媒は、室内熱交換器５２において、室内ファン５３によって供給される室内空気と熱交換を行って放熱して凝縮し、液冷媒となって室内熱交換器５２の液側端から流出する。室内熱交換器５２の液側端から流出した冷媒は、室内液冷媒管５８、室内膨張弁５４を介して、液冷媒連絡管６に流れていく。なお、室内膨張弁５４の弁開度は、暖房運転モードでは全開状態となるように制御される。
【００９７】
このようにして、液冷媒連絡管６を流れる冷媒は、液側閉鎖弁２９、室外液側配管３２を介して、室外膨張弁２４に流入する。
【００９８】
室外膨張弁２４に流入した冷媒は、冷凍サイクルにおける低圧になるまで減圧された後、室外熱交換器２３の液側端に流入する。なお、室外膨張弁２４の弁開度は、暖房運転モードでは、圧縮機２１の吸入冷媒の過熱度が所定の過熱度となるように制御される。
【００９９】
室外熱交換器２３の液側端から流入した冷媒は、室外熱交換器２３において、室外ファン２５によって供給される室外空気と熱交換を行って蒸発し、ガス冷媒となって室外熱交換器２３のガス側端から流出する。
【０１００】
室外熱交換器２３のガス側端から流出した冷媒は、四路切換弁２２、および吸入管３４を経て、再び、圧縮機２１に吸入される。
【０１０１】
（４）覚醒制御モードの処理
以下、図３に示すフローチャートを参考にしながら、通常制御モードから覚醒制御モードが行われる場合の処理の流れについて説明する。ここでは、通常制御モードが実行されている状態からの処理の流れを例に挙げる。
【０１０２】
なお、ここで、室内に存在するユーザは、事前に、リモコン５０ａの着衣量受付部５１ａを介して自身の着衣量のデータの入力を終えており、リモコン５０ａがユーザの着衣量を把握しているものとする。また、ユーザは、ＧＰＳにおいて存在位置が特定される状態で常時、携帯電話等の個人移動端末を保持しているものとする。
【０１０３】
ステップＳ１０では、モード制御部７３およびアクチュエータ制御部７４は、通常制御モードを実行させる。具体的には、モード制御部７３は、冷房運転、除湿運転、暖房運転のうちリモコン５０ａを介してユーザから選択された運転に切り換えつつ、アクチュエータ制御部７４がユーザによって設定された設定温度が実現されるように圧縮機２１等の各アクチュエータを制御する。
【０１０４】
ステップＳ１１では、モード制御部７３は、覚醒制御モードを開始させるための所定開始条件を満たしているか否かを判断する。この所定開始条件としては、特に限定されないが、例えば、毎日の所定の時刻（昼食後の覚醒度が低下しがちな１３：３０頃等）としてもよいし、最後に不快化制御が終了した時から所定間隔時間以上経過した時としてもよい。ここで、所定開始条件を満たしている場合にはステップＳ１２に移行し、満たしていない場合にはステップＳ１０を繰り返す。
【０１０５】
ステップＳ１２では、モード制御部７３は、ユーザの現状の温熱環境評価指数（ＰＭＶ）を算出する。具体的には、記憶部７１に格納されている快適方程式９１を読み出しつつ、室内空気温度（室内空気温度センサ８２の検知値）、ユーザ近傍の放射温度（放射温度センサ８４の検知値）、室内の相対湿度（室内湿度センサ８３の検知値）、ユーザ近傍の風速、ユーザの着衣量（着衣量受付部５１ａにおいて受け付けることでリモコン５０ａが把握している着衣量）、ユーザの代謝量の６つの各要素の値を代入して、ユーザの温熱環境評価指数（ＰＭＶ）の値を算出する。
【０１０６】
ここで、ユーザが存在する位置近傍における風速は、モード制御部７３が、現状の室内ファン５３の制御風量を記憶部７１に格納され風速関係式に代入することで算出する。また、ユーザの代謝量は、直近の所定単位時間（例えば、直近１０分）における移動距離から、予め定められた関係式に従って、代謝情報把握部５１ｂがユーザの代謝量を算出しているため、モード制御部７３が当該値を読み込む。
【０１０７】
以上のようにして、モード制御部７３は、把握した６つの各要素の値を快適方程式９１に代入することで、ユーザの温熱環境評価指数（ＰＭＶ）の現状の値を算出する。
【０１０８】
ステップＳ１３では、モード制御部７３は、ステップＳ１２において特定された温熱環境評価指数（ＰＭＶ）を、０から離れる方向に１だけ変化させることが可能な覚醒用の設定温度及び／又は設定風流を特定する。例えば、モード制御部７３は、空気調和装置１００の室内湿度を変えることなく、室内の設定温度や室内ファン５３の設定風量をユーザが不快に感じるように変えることで、温熱環境評価指数（ＰＭＶ）を不快な方向に１だけ変化させることが可能な新たな設定温度や設定風量を有する不快化制御を、快適方程式９１を用いて特定する。
【０１０９】
ステップＳ１４では、アクチュエータ制御部７４は、ステップＳ１３において特定された不快化制御を開始し、新たに設定された設定温度および設定湿度が実現されるように圧縮機２１等の各アクチュエータを制御する。
【０１１０】
ステップＳ１５では、モード制御部７３は、ステップＳ１４において不快化制御を開始してから所定継続時間が経過したか否かを判断する。ここで、所定経過時間としては、特に限定されないが、ユーザに不快に感じさせる観点から、１分以上であることが好ましく、十分に不快感を与える観点から２分以上が好ましく、より確実に不快化させる観点から４分以上が好ましい。なお、ユーザが環境変化による刺激を感じにくくなり、覚醒に導く効果が乏しくなるという観点から、不快化制御の継続時間は３０分を超えないことが好ましい。ここで、所定継続時間が経過している場合にはステップＳ１６に移行し、経過していない場合には、経過するまで不快化制御を継続させる。
【０１１１】
ステップＳ１６では、モード制御部７３は、不快化制御を終了させ、ステップＳ１０に戻って通常制御を再開させ、上記処理を繰り返す。
【０１１２】
（５）実施形態の特徴
（５−１）
本実施形態のコントローラ７０を備えた空気調和装置１００は、通常制御モードとは別に、ユーザが現状よりも不快に感じるように不快化制御される。このため、当該不快化制御によって、ユーザの温熱環境評価指数（ＰＭＶ）の値が現状よりも不快に感じる方向に変化するように環境を変化させることで、例えば、眠気を有していたようなユーザを覚醒させることが可能になりうる。このように、温熱環境評価指数（ＰＭＶ）の値を現状よりも悪化させるという、従来に無い新たな手法によってユーザの覚醒度を高めることが可能になる。
【０１１３】
（５−２）
本実施形態では、不快化制御の指標として、温熱環境評価指数（ＰＭＶ）を用いている。このため、ユーザの当該ＰＭＶの値を悪化させることができるような不快化制御を行うことにより、より確実にユーザを不快化させ、覚醒させることが可能になっている。
【０１１４】
（５−３）
本実施形態では、不快化制御を行う場合に、ユーザのＰＭＶの値が１以上不快化するような運転を行っている。このため、ユーザをより十分に不快化させ、覚醒させることが可能になっている。
【０１１５】
（５−４）
本実施形態では、不快化制御を継続して所定継続時間以上行っている。このため、ユーザが存在する室内の環境をより確実に変化させて、ユーザを不快化させ、覚醒させることが可能になっている。
【０１１６】
（５−５）
本実施形態では、通常運転が行われることで、ユーザにとって快適な状態を実現させつつ、所定開始条件を満たした場合にのみ不快化制御を行わせることで、特定の条件下でのみユーザを覚醒させるようにすることが可能になる。
【０１１７】
（６）変形例
上記実施形態では、本開示の実施形態の一例を説明したが、上記実施形態はなんら本開示内容を限定する趣旨ではなく、上記実施形態には限られない。本開示内容は、その趣旨を逸脱しない範囲で適宜変更した態様についても当然に含まれる。
【０１１８】
また、上記実施形態と以下に記載の複数の変形例は、互いに矛盾しないように適宜組合せるようにしてもよい。
【０１１９】
（６−１）変形例Ａ
上記実施形態では、ユーザを不快にさせるための不快化制御を行うことによりユーザの覚醒度を上昇させうる処理を例に挙げて説明した。
【０１２０】
これに対して、例えば、図４に示すように、ユーザの覚醒度が実際に向上していることが確認できるまで十分に不快化制御を行うようにしてもよい。
【０１２１】
具体的には、本変形例のコントローラ７０には、生体センサ４０と通信可能に接続されており、記憶部７１において覚醒度対比データ９４が格納されている。
【０１２２】
生体センサ４０は、ユーザの覚醒度を把握するためのセンサであり、例えば、ユーザの心電図波形を検出する心電図波形センサ４１と、ユーザの表情を検出する表情カメラ４２を用いることができる。心電図波形センサ４１は、ユーザの心臓付近に取り付けられることで用いられ、検出された心電図波形データを無線によりコントローラ７０に送信することができる。表情カメラ４２は、ユーザの顔の表情を撮影することが可能な室内の特定の位置に配置されており、検出された表情データを無線によりコントローラ７０に送信することができる。
【０１２３】
記憶部７１に格納されている覚醒度対比データ９４は、生体センサ４０としての心電図波形センサ４１と表情カメラ４２の各検出内容から、心電図波形と覚醒度の公知の関係およびユーザの所定の基準表情との違いに応じた表情と覚醒度の公知の関係に基づいて、ユーザの覚醒度を推定するためのデータである。なお、例えば、心電図波形センサ４１から把握される心電図波形に対応する覚醒度を、予め格納されている心電図波形と覚醒度との関係データを参照して特定し、さらに、表情カメラ４２から把握される表情と所定の基準表情との違いに対応する所定の覚醒度補正分により補正することで、ユーザの覚醒度を把握するようにしてもよい。
【０１２４】
そして、以上の構成を用いる場合には、例えば、図５のフローチャートに示すように、通常制御モードから覚醒制御モードが行われるようにしてもよい。
【０１２５】
なお、ここでも、上記実施形態と同様に、室内に存在するユーザは、事前に、リモコン５０ａの着衣量受付部５１ａを介して自身の着衣量のデータの入力を終えており、リモコン５０ａがユーザの着衣量を把握しているものとする。また、ユーザは、ＧＰＳにおいて存在位置が特定される状態で常時、携帯電話等の個人移動端末を保持しているものとする。
【０１２６】
ステップＳ２０では、モード制御部７３およびアクチュエータ制御部７４は、上記実施形態と同様に、通常制御モードを実行させる。
【０１２７】
ステップＳ２１では、モード制御部７３は、上記実施形態と同様に、覚醒制御モードを開始させるための所定開始条件を満たしているか否かを判断する。ここで、所定開始条件を満たしている場合にはステップＳ２２に移行し、満たしていない場合にはステップＳ２０を繰り返す。
【０１２８】
ステップＳ２２では、モード制御部７３は、上記実施形態と同様に、ユーザの現状の温熱環境評価指数（ＰＭＶ）を算出する。
【０１２９】
ステップＳ２３では、モード制御部７３は、ユーザの現状の覚醒度の推定値を算出する。具体的には、生体センサ４０における心電図波形センサ４１と表情カメラ４２の各検出結果と、記憶部７１に格納されている覚醒度対比データ９４と、から、現状のユーザの覚醒度の推定値を把握する。
【０１３０】
ステップＳ２４では、モード制御部７３は、ステップＳ１２において特定された温熱環境評価指数（ＰＭＶ）を、０から離れる方向に１だけ変化させることが可能な覚醒用の設定温度を特定する。
【０１３１】
ステップＳ２５では、アクチュエータ制御部７４は、特定された不快化制御を開始し、新たに設定された設定温度および設定湿度が実現されるように圧縮機２１等の各アクチュエータを制御する。
【０１３２】
ステップＳ２６では、モード制御部７３は、ステップＳ２５において不快化制御を開始してから所定継続時間が経過したか否かを判断する。ここで、所定継続時間が経過している場合にはステップＳ２７に移行し、経過していない場合には、経過するまで不快化制御を継続させる。
【０１３３】
ステップＳ２７では、モード制御部７３は、この時点でのユーザの覚醒度の推定値を再度把握し、ステップＳ２３で把握したユーザの覚醒度の推定値から所定値以上上昇しているか否かを判断する。ここで、所定値以上上昇していた場合には、ステップＳ２９に移行し、所定値以上上昇していない場合には、ステップＳ２８に移行する。
【０１３４】
ステップＳ２８では、直前まで行われていた不快化制御に比べて、ユーザのＰＭＶの値が０から離れる方向にさらに大きく変化させることができるような不快化制御を特定し、ステップＳ２５に移行する。このように、ステップＳ２５、Ｓ２６、Ｓ２７、Ｓ２８を繰り返すことで、ユーザの覚醒度の推定値を確実に上昇させることが可能になる（すなわち、ステップＳ２７において所定値以上上昇していると判断されるまで、上記処理が繰り返されることになる。）。
【０１３５】
ステップＳ２９では、モード制御部７３は、不快化制御を終了させ、ステップＳ２０に戻って通常制御を再開させ、上記処理を繰り返す。
【０１３６】
以上の処理によれば、不快化制御を行うことにより、より確実にユーザの覚醒度を向上させることが可能になる。
【０１３７】
（６−２）変形例Ｂ
上記実施形態は、不快化制御を開始するための所定開始条件として、所定の時刻になっていることや最後に不快化制御が終了した時から所定間隔時間以上経過したことを例に挙げて説明した。
【０１３８】
これに対して、不快化制御を開始するための所定開始条件は、これに限られるものではなく、例えば、図６に示すように、上記実施形態のステップＳ１１の処理を、通常制御モード実行中において対象者の覚醒度が所定値より低い値になっているか否かを判断する処理（ステップ１１ａ）に変更してもよい。この場合には、通常制御モードの実行時においてユーザの現状の覚醒度を把握（ステップＳ１０．５）した後に、上記ステップＳ１１ａを行うことになる。そして、対象者の覚醒度が所定値より低い状態になった場合には、ステップＳ１２に移行して、そのまま不快化制御を行うようにしてもよい。
【０１３９】
また、対象者の覚醒度が所定値より低い状態になることに代えて、対象者の覚醒度の単位時間当たりの低下度合いが所定値よりも大きい場合をステップＳ１２に移行するための条件としてもよい。
【０１４０】
このような制御により、通常制御モード実行時において対象者の覚醒度が低下した場合に限って不快化制御を行うことが可能になる。このため、対象者が十分に覚醒しているにもかかわらず不快化制御が行われてしまうことを抑制することができる。
【０１４１】
（６−３）変形例Ｃ
上記変形例Ａにおいても、上記実施形態と同様に、不快化制御を開始するための所定開始条件として、所定の時刻になっていることや最後に不快化制御が終了した時から所定間隔時間以上経過したことを例に挙げて説明した。
【０１４２】
これに対して、変形例Ａの処理に関しても、不快化制御を開始するための所定開始条件は、これに限られるものではなく、例えば、図７に示すように、上記変形例ＡのステップＳ２１の処理を、通常制御モード実行中において対象者の覚醒度が所定値より低い値になっているか否かを判断する処理（ステップ２１ａ）に変更してもよい。この場合には、通常制御モードの実行時においてユーザの現状の覚醒度を把握（ステップＳ２０．５）した後に、上記ステップＳ２１ａを行うことになる。そして、対象者の覚醒度が所定値より低い状態になった場合には、ステップＳ２２に移行して、そのまま不快化制御を行うようにしてもよい。また、ステップＳ２５の不快化制御を行うことで変化したユーザの覚醒度の現状値を再度把握し（ステップＳ２６．５）、ユーザの変化した覚醒度が所定値以上になっているか否かを確認することで（ステップＳ２７ａ）、不快化制御を終了させるようにしてもよい。
【０１４３】
また、対象者の覚醒度が所定値より低い状態になることに代えて、対象者の覚醒度の単位時間当たりの低下度合いが所定値よりも大きい場合をステップＳ２２に移行するための条件としてもよい。
【０１４４】
このような制御により、通常制御モード実行時において対象者の覚醒度が低下した場合に限って不快化制御を行うことが可能になる。このため、対象者が十分に覚醒しているにもかかわらず不快化制御が行われてしまうことを抑制することができる。
【０１４５】
（６−４）変形例Ｄ
上記実施形態では、ユーザのＰＭＶの現状値を把握し、当該ＰＭＶの値がユーザがより不快と感じるであろう値となるように、空気調和装置１００の制御目標値を定めて不快化制御を行うことを例に挙げて説明した。
【０１４６】
これに対して、例えば、図８に示すように、快適性関係値として、ユーザが存在している部屋の温度を把握し（ステップＳ１２ａ）、当該温度が、ユーザがより不快と感じるであろう値となるように、空気調和装置１００の設定温度を定めることで不快化制御を特定し（ステップ１３ａ）、当該特定された不快化制御を行うようにしてもよい。ここでの不快化制御における設定温度の定め方としては、特に限定されないが、例えば、通常制御モードとして冷房運転が行われている場合には現状の室内の温度よりも所定温度以上高い温度が設定温度となるようにしてもよいし、通常制御モードとして暖房運転が行われている場合には現状の室内の温度よりも所定温度以上低い温度が設定温度となるようにしてもよいし、通常制御モードの種類とは無関係に予めユーザが不快に感じるであろう不快温度をメモリに格納させておき、当該不快温度が目標値となるように不快化制御を特定してもよい。
【０１４７】
ここで、快適性関係値としては、ＰＭＶや温度に限られず、ユーザが存在している部屋の湿度やユーザが空気調和装置１００から受ける調和空気の風速、ユーザが存在している部屋の輻射、ユーザの不快指数等を用いるようにしてもよい。
【０１４８】
（６−５）変形例Ｅ
上記実施形態では、ユーザのＰＭＶの値が０から離れる方向に変化させることができるような不快化制御を特定する場合を例に挙げて説明した。
【０１４９】
しかし、ユーザのＰＭＶを変化させてユーザを不快化させる場合としては、ＰＭＶの値が０から離れる方向に変化させる場合に限られず、０を跨ぐように変化させるようにしてもよい。この場合には、ＰＭＶの値が０を跨ぎつつＰＭＶの絶対値が現状よりも大きくなるように変化させる場合であってもよい。
【０１５０】
（６−６）変形例Ｆ
上記実施形態は、現状の温熱環境評価指数（ＰＭＶ）を０から離れる方向に１だけ変化させることが可能な覚醒用の設定温度及び／又は設定風流が目標値となるような不快化制御を特定して実行する場合を例に挙げて説明した。
【０１５１】
これに対して、不快化制御を行う際に指標となるものは、温熱環境評価指数（ＰＭＶ）に限られず、例えば、対象者の不快指数を指標としてもよいし、対象空間の温度の設定温度からの乖離度合いを指標としてもよい。
【０１５２】
ここで、不快指数は、乾球温度（気温）をＴ（℃）とし、相対湿度をＨ（％）とした場合に、０．８１Ｔ＋０．０１Ｈ（０．９９Ｔ−１．４３）＋４６．３を計算して求めることができる。不快指数を指標として不快化制御を行う場合には、現状の不快指数を求め、当該不快指数を現状値よりも大きくさせる設定温度や設定湿度を目標値として定めて制御を行うようにしてもよい。
【０１５３】
なお、対象空間の温度の設定温度からの乖離度合いを指標として不快化制御を行う場合には、現状の乖離度合いを求め、当該乖離度合いの現状値よりも大きく乖離することになる設定温度を目標値として定めて制御を行うようにしてもよい。
【０１５４】
（６−７）変形例Ｇ
上記実施形態は、複数のユーザが室内に存在している場合に、各個人に対応するパーソナル空調手段が設けられており、各パーソナル空調手段を対応するユーザが不快になるように制御する場合に適用してもよい。
【実施例】
【０１５５】
対象者が存在している対象空間について、特定の当初温熱環境を、当初とは異なる温熱環境下に変化させた場合における、対象者の覚醒度の経時変化を測定した。
【０１５６】
ここで、当初温熱環境は、空気温度２７．３℃、壁面温度２７．３℃、相対湿度３１．６％、平均風速０．１ｍ／ｓ、着衣量０．３ｃｌｏ（半そで・短パン）、代謝量１．１ｍｅｔであり、この当初温熱環境の温熱環境評価指数（ＰＭＶ）の算出値は０．１３であった。
【０１５７】
これに対して、当初から変化させた温熱環境では、空気温度２１．６℃、壁面温度２７．３℃、相対湿度３１．６％、平均風速０．３ｍ／ｓ、着衣量０．３ｃｌｏ（半そで・短パン）、代謝量１．１ｍｅｔであり、この温熱環境の温熱環境評価指数（ＰＭＶ）の算出値は−２．０２であった。
【０１５８】
なお、対象者は、予め３０分以上継続して当初温熱環境下にいることで、環境に慣れていた者であった。
【０１５９】
温熱環境を変化させるための不快化制御としては、空気温度を２１．６℃とすることを目標として行い、空気温度２７．３℃が空気温度２１．６℃になるまでに、１５秒要した（吹き出し風向を対象者側に向けることで迅速に温度を低下させた。）。
【０１６０】
そして、対象者の覚醒度の経時変化は、不快化制御を開始した時点から測定した。
【０１６１】
なお、対象者の覚醒度は、対象者の眠気評価値の値を逆転させた値として定義した。すなわち、眠気評価値が高い方が覚醒度が低く、眠気評価値が低い方が覚醒度が高くなるように評価しており、具体的には、眠気評価値が５の場合には覚醒度は１と評価し、眠気評価値が４の場合には覚醒度は２と評価し、眠気評価値が３の場合には覚醒度は３と評価し、眠気評価値が２の場合には覚醒度は４と評価し、眠気評価値が１の場合には覚醒度は５と評価した。
【０１６２】
ここでの眠気評価値は、訓練した評定者が対象者を観察することで、以下の５段階基準に従った評価を行った。
【０１６３】
１：全く眠くなさそう    （視線の移動が速く、頻繁である。瞬きの周期は安定している。動きが活発で身体の動きを伴う。）
２：やや眠そう   （視線移動の動きが遅い。唇が開いている。）
３：眠そう（瞬きはゆっくりと頻発。口の動きがある。座り直し有り。顔に手をやる。）
４：かなり眠そう （意識的と思われる瞬きがある。頭を振る、肩の上下動など無用な体全体の動きあり。あくびは頻発し、深呼吸も見られる。瞬きも視線の動きも遅い。）
５  非常に眠そう （瞼を閉じる。頭が前に傾く。頭が後ろに倒れる。）
以上に基づいた対象者の覚醒度の経時変化を、図９のグラフに示す。
【０１６４】
図８に示す結果によれば、ＰＭＶが−２．０２となった環境下では、ＰＭＶが０．１３の環境下であった場合と比較して、１分継続時の対象者の覚醒度については、増大分が０．２８となり、２分経過時の増大分は０．５６となり、３分経過時の増大分は０．６１となり、４分経過時の増大分は１．０６となった。なお、４分経過以降は、覚醒度の低下が確認された。
【０１６５】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１６６】
４０  生体センサ
４１  心電図波形センサ
４２  表情カメラ
５１ａ  着衣量受付部（第１情報把握部）
５１ｂ  代謝情報把握部（第１情報把握部）
７０  コントローラ（空調制御装置）
７３  モード制御部（制御部、第２情報把握部）
８２  室内空気温度センサ（第１情報把握部）
８３  室内湿度センサ（第１情報把握部）
８４  放射温度センサ（第１情報把握部）
９１  快適方程式（第１情報把握部）
９２  風速関係式（第１情報把握部）
１００  空気調和装置
【先行技術文献】
【特許文献】
【０１６７】
【特許文献１】特開平１０−２５９９４３号公報